(57)【要約】【課題】 タッチスクリーンを備えるタッチ入力装置において、タッチスクリーンに対するタッチレベルを区別して使用者が確認できるようにするフィードバック技術を提供すること。また、タッチスクリーンを備えたタッチ入力装置において、セキュリティー性が高いながらも簡単な暗号化技術及びロック解除技術を提供すること。【解決手段】 本発明の実施形態によるタッチレベルに伴うフィードバックが可能なタッチ入力装置は、暗号入力ウィンドウをディスプレイすることができるタッチスクリーンと、前記暗号入力ウィンドウに対するタッチが、すでに設定された暗号と一致するのか否かに対する第１制御信号を生成し、複数のタッチレベルのうち前記タッチの入力の大きさ、タッチ面積、及びタッチ時間のうち少なくとも一つを用いてタッチレベルを決定する制御器と、前記すでに設定された暗号を格納しているメモリと、を含み、前記すでに設定された暗号にはタッチレベルが設定されている。【選択図】  図５
2015106417.tif 000002
【特許請求の範囲】
【請求項１】
暗号入力ウィンドウをディスプレイすることができるタッチスクリーンと、
前記暗号入力ウィンドウに対するタッチが、すでに設定された暗号と一致するのか否かに対する第１制御信号を生成し、複数のタッチレベルのうち前記タッチの入力の大きさ、タッチ面積、及びタッチ時間のうち少なくとも一つを用いてタッチレベルを決定する制御器と、
前記すでに設定された暗号を格納しているメモリと、
を含み、
前記すでに設定された暗号にはタッチレベルが設定されている、
タッチレベルに伴うフィードバックが可能なタッチ入力装置。
【請求項２】
前記メモリは、前記タッチによって前記タッチスクリーンに含まれたタッチ感知モジュールに発生する静電容量の変化量、及び前記静電容量の変化量から計算された前記タッチ時間のうち少なくとも一つと前記複数のタッチレベルの相関関係をさらに格納し、
前記制御器は、前記タッチレベルを決定する際に前記メモリを参照する、請求項１に記載のタッチレベルに伴うフィードバックが可能なタッチ入力装置。
【請求項３】
前記制御器は、前記タッチレベルに伴うフィードバックのための第２制御信号を生成し、前記複数のタッチレベルそれぞれに対する前記フィードバックは、互いに非相関関係を有する、請求項１又は２に記載のタッチレベルに伴うフィードバックが可能なタッチ入力装置。
【請求項４】
前記暗号入力ウィンドウは、一つ以上のコード入力領域を含み、
前記制御器は、前記一つ以上のコード入力領域それぞれに対するタッチレベルが、前記すでに設定された暗号として格納された該当領域のタッチレベルと全て一致する時、前記第１制御信号を生成してロックが解除されるようにする、請求項１ないし３のいずれか１項に記載のタッチレベルに伴うフィードバックが可能なタッチ入力装置。
【請求項５】
前記暗号入力ウィンドウは、一つ以上のコード入力領域を含み、
前記制御器は、前記一つ以上のコード入力領域それぞれに対するタッチ回数及びタッチリズムが、前記すでに設定された暗号として格納された該当領域のタッチ回数及びタッチリズムと全て一致する時、前記第１制御信号を生成してロックが解除されるようにする、請求項１ないし３のいずれか１項に記載のタッチレベルに伴うフィードバックが可能なタッチ入力装置。
【請求項６】
前記暗号入力ウィンドウは、一つ以上のコード入力領域を含み、
前記制御器は、前記一つ以上のコード入力領域それぞれに対するタッチ回数及びタッチレベルが、前記すでに設定された暗号として格納された該当領域のタッチ回数及びタッチレベルと全て一致する時、前記第１制御信号を生成してロックが解除されるようにする、請求項１ないし３のいずれか１項に記載のタッチレベルに伴うフィードバックが可能なタッチ入力装置。
【請求項７】
前記暗号入力ウィンドウは、テキスト入力ウィンドウをさらに含み、
前記制御器は、前記一つ以上のコード入力領域それぞれに対するタッチが、前記すでに設定された暗号と全て一致し、そして前記テキスト入力ウィンドウに入力されたテキストが、前記すでに設定された暗号として格納されたテキストと一致する時、前記第１制御信号を生成してロックが解除されるようにする、請求項４ないし６のいずれか１項に記載のタッチレベルに伴うフィードバックが可能なタッチ入力装置。
【請求項８】
前記制御器は、前記暗号入力ウィンドウに同時にタッチされるタッチの回数とタッチレベルとの組み合わせが、前記すでに設定された暗号として格納されたタッチの回数とタッチレベルとの組み合わせと一致する時、前記第１信号を生成してロックが解除されるようにする、請求項１ないし３のいずれか１項に記載のタッチレベルに伴うフィードバックが可能なタッチ入力装置。
【請求項９】
前記暗号入力ウィンドウは、複数個の区分された領域を含み、
前記制御器は、前記暗号入力ウィンドウに同時にタッチされるタッチの回数、前記複数個の区分された領域のうちタッチ位置及びタッチレベルの組み合わせが、前記すでに設定された暗号として格納されたタッチの個数、前記複数個の区分された領域のうちタッチ位置及びタッチレベルの組み合わせと一致する時、前記第１制御信号を生成してロックが解除されるようにする、請求項１ないし３のいずれか１項に記載のタッチレベルに伴うフィードバックが可能なタッチ入力装置。
【請求項１０】
前記暗号入力ウィンドウは、複数個のノードを含み、
前記制御器は、前記複数個のノードのうちタッチされるノード及びタッチレベルの組み合わせが、前記すでに設定された暗号として格納されたタッチされるノード及びタッチレベルの組み合わせと一致する時、前記第１制御信号を生成してロックが解除されるようにする、請求項１ないし３のいずれか１項に記載のタッチレベルに伴うフィードバックが可能なタッチ入力装置。
【請求項１１】
前記暗号入力ウィンドウは、複数個のノードを含み、
前記制御器は、前記複数個のノードのうち、タッチされるノード、順次タッチされるノードの順序、及びタッチレベルの組み合わせが、前記すでに設定された暗号として格納されたタッチされるノード、順次タッチされるノードの順序、及びタッチレベルの組み合わせと一致する時、前記第１制御信号を生成してロックが解除されるようにする、請求項１ないし３のいずれか１項に記載のタッチレベルに伴うフィードバックが可能なタッチ入力装置。
【請求項１２】
前記フィードバックは、前記複数のタッチレベルそれぞれが区分されるように、前記タッチ入力装置に備えられたスピーカーを通じて声として出力され、
前記の声の周波数、大きさ、長さ、種類、メロディー、及び回数のうち少なくとも一つが変化して前記複数のタッチレベルそれぞれが区分される、請求項３に記載のタッチレベルに伴うフィードバックが可能なタッチ入力装置。
【請求項１３】
前記フィードバックは、前記複数のタッチレベルそれぞれが区分されるように、前記タッチ入力装置に備えられた振動素子を通じて振動として出力され、
前記振動の周波数、強さ、長さ、メロディー、及び回数のうち少なくとも一つが変化して前記複数のタッチレベルそれぞれが区分される、請求項３に記載のタッチレベルに伴うフィードバックが可能なタッチ入力装置。
【請求項１４】
タッチスクリーンに暗号入力ウィンドウをディスプレイする段階と、
複数のタッチレベルのうち前記暗号入力ウィンドウに対するタッチの入力の大きさ、タッチ面積、及びタッチ時間のうち少なくとも一つを用いてタッチレベルを決定する段階と、
前記タッチが、タッチレベルが設定されているすでに設定された暗号と一致するのか否かに対する第１制御信号を生成する段階と、
を含む、タッチ入力装置におけるタッチレベルに伴うフィードバック方法。
【請求項１５】
前記タッチレベルを決定する段階は、
前記タッチによって前記タッチスクリーンに含まれたタッチ感知モジュールに発生する静電容量の変化量、及び前記静電容量の変化量から計算された前記タッチ時間のうち少なくとも一つと前記複数のタッチレベルの相関関係を格納するメモリを参照して行われる、請求項１４に記載のタッチ入力装置におけるタッチレベルに伴うフィードバック方法。
【請求項１６】
前記タッチレベルを決定する段階の後、及び前記第１制御信号を生成する段階の前に、
前記タッチレベルに伴うフィードバックのための第２制御信号を生成する段階と、
前記第２制御信号によって前記フィードバックが行われる段階と、
を含み、
前記複数のタッチレベルそれぞれに対する前記フィードバックは、互いに非相関関係を有する、請求項１４又は１５に記載のタッチ入力装置におけるタッチレベルに伴うフィードバック方法。
【請求項１７】
前記制御器は、前記暗号入力ウィンドウに同時にタッチされるタッチの個数とタッチレベルとの組み合わせが、前記すでに設定された暗号として格納されたタッチの個数とタッチレベルとの組み合わせと一致する時、前記第１制御信号を生成してロックが解除されるようにする、請求項１４ないし１６のいずれか１項に記載のタッチ入力装置におけるタッチレベルに伴うフィードバック方法。
【請求項１８】
前記暗号入力ウィンドウは、複数個の区分された領域を含み、
前記制御器は、前記暗号入力ウィンドウに同時にタッチされるタッチの個数、前記複数個の区分された領域のうちタッチ位置及びタッチレベルの組み合わせが、前記すでに設定された暗号として格納されたタッチの個数、前記複数個の区分された領域のうちタッチ位置及びタッチレベルの組み合わせと一致する時、前記第１制御信号を生成してロックが解除されるようにする、請求項１４ないし１６のいずれか１項に記載のタッチ入力装置におけるタッチレベルに伴うフィードバック方法。
【請求項１９】
前記暗号入力ウィンドウは、複数個のノードを含み、
前記制御器は、前記複数個のノードのうちタッチされるノード及びタッチレベルの組み合わせが、前記すでに設定された暗号として格納されたタッチされるノード及びタッチレベルの組み合わせと一致する時、前記第１制御信号を生成してロックが解除されるようにする、請求項１４ないし１６のいずれか１項に記載のタッチ入力装置におけるタッチレベルに伴うフィードバック方法。
【請求項２０】
前記暗号入力ウィンドウは、複数個のノードを含み、
前記制御器は、前記複数個のノードのうちタッチされるノード、順次タッチされるノードの順序、及びタッチレベルの組み合わせが、前記すでに設定された暗号として格納されたタッチされるノード、順次タッチされるノードの順序、及びタッチレベルの組み合わせと一致する時、前記第１制御信号を生成してロックが解除されるようにする、請求項１４ないし１６のいずれか１項に記載のタッチ入力装置におけるタッチレベルに伴うフィードバック方法。
【請求項２１】
前記フィードバックは、前記複数のタッチレベルそれぞれが区分されるように、前記タッチ入力装置に備えられたスピーカーを通じて声として出力され、
前記の声の周波数、大きさ、長さ、種類、メロディー、及び回数のうち少なくとも一つが変化して前記複数のタッチレベルそれぞれが区分される、請求項１６に記載のタッチ入力装置におけるタッチレベルに伴うフィードバック方法。
【請求項２２】
前記フィードバックは、前記複数のタッチレベルそれぞれが区分されるように、前記タッチ入力装置に備えられた振動素子を通じて振動として出力され、
前記振動の周波数、強さ、長さ、メロディー、及び回数のうち少なくとも一つが変化して前記複数のタッチレベルそれぞれが区分される、請求項１６に記載のタッチ入力装置におけるタッチレベルに伴うフィードバック方法。
【発明の詳細な説明】
【技術分野】
【０００１】
本発明は、タッチレベルに伴うフィードバック方法、及びこれを行うタッチ入力装置に関するもので、より具体的には、タッチスクリーンに対するタッチ圧力、タッチ面積及び／又はタッチ時間を使用者が客観的に確認できるようにフィードバックを提供し、これを用いてロック解除を可能なようにする技術に関する。
【背景技術】
【０００２】
コンピューティングシステムの操作のために多様な種類の入力装置が用いられている。例えば、ボタン（ｂｕｔｔｏｎ）、キー（ｋｅｙ）、ジョイステック（ｊｏｙｓｔｉｃｋ）、及びタッチスクリーンのような入力装置が用いられている。タッチスクリーンの容易で手軽な操作により、コンピューティングシステムの操作時にタッチスクリーンの利用が増加している。
【０００３】
タッチスクリーンは、タッチ−感応表面（ｔｏｕｃｈ−ｓｅｎｓｉｔｉｖｅ ｓｕｒｆａｃｅ）を備えた透明なパネルであってもよいタッチセンサーパネル（ｔｏｕｃｈ ｓｅｎｓｏｒ ｐａｎｅｌ）を含んでもよい。このようなタッチセンサーパネルは、ディスプレイパネルの全面に付着されてタッチ−感応表面がディスプレイパネルの見える面を覆うことができる。タッチスクリーンは、使用者が指などでスクリーンを単純に接触することにより、使用者がコンピューティングシステムを操作することができるようにする。一般的に、タッチスクリーンは、パネル上の接触及び接触位置を認識し、コンピューティングシステムはこのような接触を解釈することにより、これに従い演算を行うことができる。
【０００４】
タッチスクリーンを含むタッチ入力装置において、タッチスクリーンを介した使用者と装置間のインタラクション（ｉｎｔｅｒａｃｔｉｏｎ）を通じて多様な業務を行うことができる。このような多様な業務を行うために、タッチスクリーンに対するタッチの有無だけでなく、タッチレベルを区別する必要性が要求されている。また、タッチスクリーンを備えるタッチ入力装置、特にコンピューティング装置が徐々に高性能化されるにつれ、使用者は該当装置を利用して私生活関連の業務だけでなく金融業務までも処理することができ、その領域は次第に拡大している。したがって、タッチ入力装置においてセキュリティー性を高める必要性もまた台頭している。
【発明の概要】
【発明が解決しようとする課題】
【０００５】
本発明の目的は、タッチスクリーンを備えるタッチ入力装置において、タッチスクリーンに対するタッチレベルを区別して使用者が確認できるようにするフィードバック技術を提供することにある。
【０００６】
また、本発明の目的は、タッチスクリーンを備えたタッチ入力装置において、セキュリティー性が高いながらも簡単な暗号化技術及びロック解除技術を提供することにある。
【課題を解決するための手段】
【０００７】
本発明の実施形態によるタッチレベルに伴うフィードバックが可能なタッチ入力装置は、暗号入力ウィンドウをディスプレイすることができるタッチスクリーンと、前記暗号入力ウィンドウに対するタッチが、すでに設定された暗号と一致するのか否かに対する第１制御信号を生成し、複数のタッチレベルのうち前記タッチの入力の大きさ、タッチ面積、及びタッチ時間のうち少なくとも一つを用いてタッチレベルを決定する制御器と、前記すでに設定された暗号を格納しているメモリと、を含み、前記すでに設定された暗号にはタッチレベルが設定されている。
【０００８】
本発明の実施形態によるタッチ入力装置におけるタッチレベルに伴うフィードバック方法は、タッチスクリーンに暗号入力ウィンドウをディスプレイする段階と、複数のタッチレベルのうち前記暗号入力ウィンドウに対するタッチの入力の大きさ、タッチ面積、及びタッチ時間のうち少なくとも一つを用いてタッチレベルを決定する段階と、前記タッチが、タッチレベルが設定されているすでに設定された暗号と一致するのか否かに対する第１制御信号を生成する段階と、を含む。
【発明の効果】
【０００９】
本発明の実施形態によれば、タッチスクリーンを備えるタッチ入力装置において、タッチスクリーンに対するタッチレベルを区別して使用者が確認できるようにするフィードバック技術を提供することができる。
【００１０】
また、本発明の実施形態によれば、タッチレベルを区別して使用者が確認できるようにするフィードバックを、タッチレベルそれぞれに対して互いに非相関関係を有するように提供することができる。
【００１１】
また、本発明の実施形態によれば、タッチスクリーンを備えるタッチ入力装置において、セキュリティー性が高いながらも簡単な暗号化技術及びロック解除技術を提供することができる。
【図面の簡単な説明】
【００１２】
【図１】本発明の実施形態によるタッチ入力装置の構造図である。
【図２ａ】圧力による静電容量の変化量を説明するための図面である。
【図２ｂ】圧力による静電容量の変化量を説明するための図面である。
【図３ａ】面積による静電容量の変化量を説明するための図面である。
【図３ｂ】面積による静電容量の変化量を説明するための図面である。
【図４ａ】タッチ時間を説明するための図面である。
【図４ｂ】タッチ時間を説明するための図面である。
【図５】本発明の実施形態によるタッチ入力装置のタッチスクリーンに対するタッチレベルに伴うフィードバック遂行段階を例示する。
【図６ａ】本発明の第１実施形態によるタッチレベルに伴うフィードバック手段及び方法を例示する。
【図６ｂ】本発明の第１実施形態によるタッチレベルに伴うフィードバック手段及び方法を例示する。
【図６ｃ】本発明の第１実施形態によるタッチレベルに伴うフィードバック手段及び方法を例示する。
【図６ｄ】本発明の第１実施形態によるタッチレベルに伴うフィードバック手段及び方法を例示する。
【図６ｅ】本発明の第１実施形態によるタッチレベルに伴うフィードバック手段及び方法を例示する。
【図７ａ】本発明の第２実施形態によるタッチレベルに伴うフィードバック手段及び方法を例示する。
【図７ｂ】本発明の第２実施形態によるタッチレベルに伴うフィードバック手段及び方法を例示する。
【図８】本発明の第３実施形態によるタッチレベルに伴うフィードバック手段及び方法を例示する。
【図９ａ】本発明の実施形態による暗号入力ウィンドウに対するロック解除過程を例示する。
【図９ｂ】本発明の実施形態による暗号入力ウィンドウに対するロック解除過程を例示する。
【図９ｃ】本発明の実施形態による暗号入力ウィンドウに対するロック解除過程を例示する。
【図９ｄ】本発明の実施形態による暗号入力ウィンドウに対するロック解除過程を例示する。
【図１０】第１実施形態によるタッチスクリーンの構造図を例示する。
【図１１ａ】第１実施形態によるタッチスクリーンのタッチ位置感知モジュールの構造図である。
【図１１ｂ】第１実施形態によるタッチスクリーンのタッチ位置感知モジュールの構造図である。
【図１１ｃ】第１実施形態によるタッチスクリーンのタッチ位置感知モジュールの構造図である。
【図１１ｄ】第１実施形態によるタッチスクリーンのタッチ位置感知モジュールの構造図である。
【図１２ａ】第１実施形態によるタッチスクリーンのタッチ圧力感知モジュールの構造図である。
【図１２ｂ】第１実施形態によるタッチスクリーンのタッチ圧力感知モジュールの構造図である。
【図１２ｃ】第１実施形態によるタッチスクリーンのタッチ圧力感知モジュールの構造図である。
【図１２ｄ】第１実施形態によるタッチスクリーンのタッチ圧力感知モジュールの構造図である。
【図１２ｅ】第１実施形態によるタッチスクリーンのタッチ圧力感知モジュールの構造図である。
【図１２ｆ】第１実施形態によるタッチスクリーンのタッチ圧力感知モジュールの構造図である。
【図１３】第２実施形態によるタッチスクリーンの構造図を例示する。
【図１４ａ】第２実施形態によるタッチスクリーンのタッチ位置−圧力感知モジュールの構造図である。
【図１４ｂ】第２実施形態によるタッチスクリーンのタッチ位置−圧力感知モジュールの構造図である。
【図１４ｃ】第２実施形態によるタッチスクリーンのタッチ位置−圧力感知モジュールの構造図である。
【図１４ｄ】第２実施形態によるタッチスクリーンのタッチ位置−圧力感知モジュールの構造図である。
【図１４ｅ】第２実施形態によるタッチスクリーンのタッチ位置−圧力感知モジュールの構造図である。
【図１４ｆ】第２実施形態によるタッチスクリーンのタッチ位置−圧力感知モジュールの構造図である。
【図１４ｇ】第２実施形態によるタッチスクリーンのタッチ位置−圧力感知モジュールの構造図である。
【図１４ｈ】第２実施形態によるタッチスクリーンのタッチ位置−圧力感知モジュールの構造図である。
【図１４ｉ】第２実施形態によるタッチスクリーンのタッチ位置−圧力感知モジュールの構造図である。
【図１４ｊ】第２実施形態によるタッチスクリーンのタッチ位置−圧力感知モジュールの構造図である。
【図１４ｋ】第２実施形態によるタッチスクリーンのタッチ位置−圧力感知モジュールの構造図である。
【図１５】第３実施形態によるタッチスクリーンの構造図を例示する。
【図１６ａ】第３実施形態によるタッチスクリーンのタッチ圧力感知モジュールである。
【図１６ｂ】第３実施形態によるタッチスクリーンのタッチ圧力感知モジュールである。
【図１７ａ】第４実施形態によるタッチスクリーンの構造図を例示する。
【図１７ｂ】第４実施形態によるタッチスクリーンのタッチ圧力感知及びタッチ位置感知のための構造図である。
【図１７ｃ】第４実施形態によるタッチスクリーンのタッチ圧力感知及びタッチ位置感知のための構造図である。
【図１８ａ】実施形態によるタッチ感知モジュールに形成された電極の形態を示す構造図である。
【図１８ｂ】実施形態によるタッチ感知モジュールに形成された電極の形態を示す構造図である。
【図１８ｃ】実施形態によるタッチ感知モジュールに形成された電極の形態を示す構造図である。
【図１８ｄ】実施形態によるタッチ感知モジュールに形成された電極の形態を示す構造図である。
【発明を実施するための形態】
【００１３】
後述する本発明に対する詳細な説明は、本発明を実施することができる特定の実施形態を例示として図示する添付の図面を参照する。これらの実施形態は、当業者が本発明を実施するのに十分なように詳しく説明する。本発明の多様な実施形態は互いに異なるが、相互に排他的である必要はないことが理解されなければならない。後述する詳細な説明は、限定的な意味として取ろうとするのではなく、本発明の範囲は、適切に説明されるならば、その請求項が主張するのと均等なすべての範囲とともに添付された請求項によってのみ限定される。図面において類似の参照符号は様々な側面にわたって同一もしくは類似の機能を指し示す。
【００１４】
以下、添付される図面を参照して本発明の実施形態によるタッチスクリーン１３０を含むタッチ入力装置１００を説明する。本発明の実施形態によるタッチ入力装置１００の機能及び特徴を詳しくみる前に、タッチ入力装置１００に含まれるタッチスクリーン１３０について図１０ないし図１８を参照して詳しく見てみる。
【００１５】
図１０は、第１実施形態によるタッチスクリーンの構造図を例示する。
【００１６】
図１０に示されたように、タッチスクリーン１３０は、タッチ位置感知モジュール１０００、前記タッチ位置感知モジュール１０００の下部に配置されたタッチ圧力感知モジュール２０００、前記タッチ圧力感知モジュール２０００の下部に配置されたディスプレイモジュール３０００、及び前記ディスプレイモジュール３０００の下部に配置された基板４０００を含んでもよい。例えば、タッチ位置感知モジュール１０００及びタッチ圧力感知モジュール２０００は、タッチ−感応表面（ｔｏｕｃｈ−ｓｅｎｓｉｔｉｖｅ ｓｕｒｆａｃｅ）を備えた透明なパネルであってもよい。以下で、タッチ位置及び／又はタッチ圧力を感知するためのモジュール１０００、２０００、３０００、５０００は、統合的にタッチ感知モジュールと指称されてもよい。
【００１７】
ディスプレイモジュール３０００は、使用者が視覚的に内容を確認できるように画面をディスプレイすることができる。この時、ディスプレイモジュール３０００に対するディスプレイは、ディスプレイドライバー（ｄｉｓｐｌａｙ ｄｒｉｖｅｒ）を介して行われてもよい。ディスプレイドライバー（図示せず）は、運営体制がディスプレイアダプタを管理又は制御するためのソフトウェアであって、装置ドライバーの一種である。
【００１８】
図１１ａないし図１１ｄは、第１実施形態によるタッチ位置感知モジュールの構造図であり、図１８ａないし図１８ｃは、実施形態によるタッチ位置感知モジュールに形成された電極の形態を示す構造図である。
【００１９】
図１１ａに示されたように、実施形態によるタッチ位置感知モジュール１０００は、一つの層に形成された第１電極１１００を含んでもよい。この時、第１電極１１００は、図１８ａに示された形態のように複数の電極６１００で構成されて、それぞれの電極６１００に駆動信号が入力され、それぞれの電極から自体静電容量に関する情報を含む感知信号が出力されてもよい。使用者の指のような客体が第１電極１１００に近接する場合、指がグランドの役割をして、第１電極１１００の自体静電容量が変わることになる。したがって、タッチ入力装置１００は、タッチスクリーン１３０に使用者の指のような客体が近接することによって変わる第１電極１１００の自体静電容量を測定してタッチ位置を検出することができる。
【００２０】
図１１ｂに示されたように、実施形態によるタッチ位置感知モジュール１０００は、互いに異なる層に形成された第１電極１１００及び第２電極１２００を含んでもよい。
【００２１】
この時、第１電極１１００及び第２電極１２００は、図１８ｂに示された形態のように、それぞれ複数の第１電極６２００と複数の第２電極６３００で構成され、それぞれ互いに交差するように配列されてもよく、第１電極６２００又は第２電極６３００のうち何れか一つに駆動信号が入力され、他の一つから相互静電容量に関する情報を含む感知信号が出力されてもよい。図１１ｂに示されたように、使用者の指のような客体が第１電極１１００及び第２電極１２００に近接する場合、指がグランドの役割をして、第１電極１１００と第２電極１２００との間の相互静電容量が変わることになる。この場合、タッチ入力装置１００は、タッチスクリーン１３０に使用者の指のような客体が近接することによって変わる第１電極１１００と第２電極１２００との間の相互静電容量を測定してタッチ位置を検出することができる。また、第１電極６２００及び第２電極６３００に駆動信号が入力され、それぞれの第１電極６２００及び第２電極６３００から自体静電容量に関する情報を含む感知信号が出力されてもよい。図１１ｃに示されたように、使用者の指のような客体が第１電極１１００及び第２電極１２００に近接する場合、指がグランド役割をして、第１電極１１００及び第２電極１２００それぞれの自体静電容量が変わることになる。この場合、タッチ入力装置１００は、タッチスクリーン１３０に使用者の指のような客体が近接することによって変わる第１電極１１００及び第２電極１２００の自体静電容量を測定してタッチ位置を検出することができる。
【００２２】
図１１ｄに示されたように、実施形態によるタッチ位置感知モジュール１０００は、一つの層に形成された第１電極１１００及び前記第１電極１１００が形成された層と同じ層に形成された第２電極１２００を含んでもよい。
【００２３】
この時、第１電極１１００及び第２電極１２００は、図１８ｃに示された形態のように、それぞれ複数の第１電極６４００と複数の第２電極６５００で構成され、複数の第１電極６４００と複数の第２電極６５００はそれぞれ互いに交差しないながらも、それぞれの第１電極６４００が延びた方向と交差する方向にそれぞれの第２電極６５００が連結されるように配列されてもよく、図１１ｄに示された第１電極６４００又は第２電極６５００を用いてタッチ位置を検出する原理は、図１１ｃを参照して説明されたことと同一なので省略する。
【００２４】
図１２ａないし図１２ｆは、第１実施形態によるタッチ圧力感知モジュールの構造図であり、図１８ａないし図１８ｄは、実施形態によるタッチ圧力感知モジュールに形成された電極の形態を示す構造図である。
【００２５】
図１２ａないし図１２ｆに示されたように、第１実施形態によるタッチ圧力感知モジュール２０００は、スペーサ層２４００を含んでもよい。スペーサ層２４００は、エアギャップ（ａｉｒ ｇａｐ）で具現されてもよい。スペーサは、実施形態により衝撃吸収物質からなってもよく、また、実施形態により誘電物質（ｄｉｅｌｅｃｔｒｉｃ ｍａｔｅｒｉａｌ）で満たされてもよい。
【００２６】
図１２ａないし図１２ｄに示されたように、第１実施形態によるタッチ圧力感知モジュール２０００は、基準電位層２５００を含んでもよい。基準電位層２５００は、任意の電位を有してもよい。例えば、基準電位層は、グランド（ｇｒｏｕｎｄ）電位を有するグランド層であってもよい。この時、基準電位層は、後述することになるタッチ圧力を感知するための第１電極２１００が形成された２次元平面又は第２電極２２００が形成された２次元平面と平行した平面を有してもよい。図１２ａないし図１２ｄにおいては、タッチ圧力感知モジュール２０００が基準電位層２５００を含むものと説明したが、必ずしもこれに限定される訳ではなく、タッチ圧力感知モジュール２０００が基準電位層２５００を含まず、タッチ圧力感知モジュール２０００の下部に配置されたディスプレイモジュール３０００又は基板４０００が基準電位層の役割をすることができる。
【００２７】
図１２ａに示されたように、実施形態によるタッチ圧力感知モジュール２０００は、一つの層に形成された第１電極２１００、前記第１電極２１００が形成された層の下部に形成されたスペーサ層２４００、及び前記スペーサ層２４００の下部に形成された基準電位層２５００を含んでもよい。
【００２８】
この時、第１電極２１００は、図１８ａに示された形態のように、複数の電極６１００で構成されて、それぞれの電極６１００に駆動信号が入力され、それぞれの電極から自体静電容量に関する情報を含む感知信号が出力されてもよい。使用者の指又はスタイラスのような客体によってタッチスクリーン１３０に圧力が加えられる場合、図１２ｂに示されたように、第１電極２１００が少なくともタッチ位置でたわむことになり、第１電極２１００と基準電位層２５００との間の距離ｄが変わることになって、これにより、第１電極２１００の自体静電容量が変わることになる。したがって、タッチ入力装置１００は、タッチスクリーン１３０に使用者の指又はスタイラスのような客体により、圧力が加えられることによって変わる第１電極２１００の自体静電容量を測定してタッチ圧力を検出することができる。このように、第１電極２１００が複数の電極６１００で構成されているので、タッチスクリーン１３０に同時に入力されたマルチタッチそれぞれの圧力を検出することができる。また、マルチタッチそれぞれの圧力を検出する必要がない場合、タッチ位置とは関係なく、タッチスクリーン１３０に加えられる全体的な圧力だけ検出すればよいので、タッチ圧力感知モジュール２０００の第１電極２１００は、図１８ｄに示された形態のように一つの電極６６００で構成されてもよい。
【００２９】
図１２ｃに示されたように、実施形態によるタッチ圧力感知モジュール２０００は、第１電極２１００、第１電極２１００が形成された層の下部に形成された第２電極２２００、前記第２電極２２００が形成された層の下部に形成されたスペーサ層２４００、及び前記スペーサ層２４００の下部に形成された基準電位層２５００を含んでもよい。
【００３０】
この時、第１電極２１００及び第２電極２２００は、図１８ｂに示された形態のように構成及び配列されてもよく、第１電極６２００又は第２電極６３００の何れか一つに駆動信号が入力され、他の一つから相互静電容量に関する情報を含む感知信号が出力されてもよい。タッチスクリーン１３０に圧力が加えられる場合、図１２ｄに示されたように、第１電極２１００及び第２電極２２００が少なくともタッチ位置でたわむことになり、第１電極２１００及び第２電極２２００と基準電位層２５００との間の距離ｄが変わることになり、これにより、第１電極２１００と第２電極２２００との間の相互静電容量が変わることになる。したがって、タッチ入力装置１００は、タッチスクリーン１３０に圧力が加えられることによって変わる第１電極２１００と第２電極２２００との間の相互静電容量を測定してタッチ圧力を検出することができる。このように、第１電極２１００及び第２電極２２００がそれぞれ複数の第１電極６２００及び複数の第２電極６３００で構成されているので、タッチスクリーン１３０に同時に入力されたマルチタッチそれぞれの圧力を検出することができる。また、マルチタッチそれぞれの圧力を検出する必要がない場合、タッチ圧力感知モジュール２０００の第１電極２１００及び第２電極２２００のうち少なくとも一つは、図１８ｄに示された形態のように一つの電極６６００で構成されてもよい。
【００３１】
この時、第１電極２１００と第２電極２２００が同一の層に形成された場合にも、図１２ｃで説明したことと同様に、タッチ圧力が感知されてもよい。ただし、第１電極２１００及び第２電極２２００は、図１８ｃに示された形態のように構成及び配列されてもよく、図１８ｄに示された形態のように一つの電極６６００で構成されてもよい。
【００３２】
図１２ｅに示されたように、実施形態によるタッチ圧力感知モジュール２０００は、一つの層に形成された第１電極２１００、前記第１電極２１００が形成された層の下部に形成されたスペーサ層２４００、及び前記スペーサ層２４００の下部層に形成された第２電極２２００を含んでもよい。
【００３３】
図１２ｅにおいて第１電極２１００と第２電極２２００の構成及び動作は、図１２ｃを参照して説明したことと同一なので省略する。ただし、タッチスクリーン１３０に圧力が加えられる場合、図１２ｆに示されたように、第１電極２１００が少なくともタッチ位置でたわむことになり、第１電極２１００と第２電極２２００との間の距離ｄが変わることになって、これにより、第１電極２１００と第２電極２２００との間の相互静電容量が変わることになる。したがって、タッチ入力装置１００は、第１電極２１００と第２電極２２００との間の相互静電容量を測定してタッチ圧力を検出することができる。
【００３４】
図１３に示されたように、第２実施形態によるタッチスクリーン１３０は、タッチ位置−圧力感知モジュール５０００、前記タッチ位置−圧力感知モジュール５０００の下部に配置されたディスプレイモジュール３０００、及び前記ディスプレイモジュール３０００の下部に配置された基板４０００を含んでもよい。
【００３５】
図１０に示された実施形態と異なり、図１３に示された実施形態によるタッチ位置−圧力感知モジュール５０００は、タッチ位置を感知するための少なくとも一つの電極及びタッチ圧力を感知するための少なくとも一つの電極を含むが、前記電極のうち少なくとも一つの電極がタッチ位置及びタッチ圧力を感知するのに全て使用される。このようにタッチ位置を感知するための電極とタッチ圧力を感知するための電極を共有することにより、タッチ位置−圧力感知モジュールの製造単価が低くなり、全体的なタッチスクリーン１３０の厚さを低減させることができ、製造工程が単純になり得る。このようにタッチ位置を感知するための電極とタッチ圧力を感知するための電極とを共有する場合において、タッチ位置に対する情報を含む感知信号とタッチ圧力に対する情報を含む感知信号との区分が必要な場合、タッチ位置を感知するための駆動信号とタッチ圧力を感知するための駆動信号との周波数を別にしたり、タッチ位置を感知する時間区間とタッチ圧力を感知する時間区間とを別にして、タッチ位置とタッチ圧力とを区分して感知することができる。
【００３６】
図１４ａないし図１４ｋは、第２実施形態によるタッチ位置−圧力感知モジュールの構造図である。図１４ａないし図１４ｋに示されたように、第２実施形態によるタッチ位置−圧力感知モジュール５０００は、スペーサ層５４００を含んでもよい。
【００３７】
図１４ａないし図１４ｉに示されたように、実施形態によるタッチ位置−圧力感知モジュール５０００は、基準電位層５５００を含んでもよい。基準電位層５５００に対する説明は、図１２ａないし図１２ｄを参照して説明したことと同一なので省略する。ただし、基準電位層は、後述することになるタッチ圧力を感知するための第１電極５１００が形成された２次元平面、第２電極５２００が形成された２次元平面又は第３電極５３００が形成された２次元平面と平行した平面を有してもよい。
【００３８】
図１４ａに示されたように、実施形態によるタッチ位置−圧力感知モジュール５０００は、一つの層に形成された第１電極５１００、前記第１電極５１００が形成された層の下部に形成されたスペーサ層５４００、及び前記スペーサ層５４００の下部に形成された基準電位層５５００を含んでもよい。
【００３９】
図１４ａ及び図１４ｂの構成に対する説明は、図１２ａ及び図１２ｂを参照した説明と類似しており、以下ではその差異点のみを説明する。図１４ｂに示されたように、使用者の指のような客体が第１電極５１００に近接する場合、指がグランドの役割をして、第１電極５１００の自体静電容量の変化を通じてタッチ位置を検出でき、また、前記客体によってタッチスクリーン１３０に圧力が加えられる場合、第１電極５１００と基準電位層５５００との間の距離ｄが変わることになり、これにより、第１電極２１００の自体静電容量の変化を通じてタッチ圧力を検出することができる。
【００４０】
図１４ｃに示されたように、実施形態によるタッチ位置−圧力感知モジュール５０００は、一つの層に形成された第１電極５１００、前記第１電極５１００が形成された層の下部層に形成された第２電極５２００、前記第２電極５２００が形成された層の下部に形成されたスペーサ層５４００、及び前記スペーサ層５４００の下部に形成された基準電位層５５００を含んでもよい。
【００４１】
図１４ｃないし図１４ｆの構成に対する説明は、図１２ｃ及び図１２ｄを参照した説明と類似しており、以下ではその差異点のみを説明する。この時、第１電極５１００及び第２電極５２００は、図１８ａに示された形態のように、それぞれ複数の電極６１００で構成されてもよい。図１４ｄに示されたように、使用者の指のような客体が第１電極５１００に近接する場合、指がグランドの役割をして、第１電極５１００の自体静電容量の変化を通じてタッチ位置を検出でき、また、前記客体によってタッチスクリーン１３０に圧力が加えられる場合、第１電極５１００及び第２電極５２００と基準電位層５５００との間の距離ｄが変わることになり、これにより、第１電極５１００と第２電極５２００との間の相互静電容量の変化を通じてタッチ圧力を検出することができる。
【００４２】
また、実施形態により第１電極５１００及び第２電極５２００は、図１８ｂに示された形態のように、それぞれ複数の第１電極６２００と複数の第２電極６３００で構成され、それぞれ互いに交差するように配列されてもよい。この時、第１電極５１００と第２電極５２００との間の相互静電容量の変化を通じてタッチ位置を検出でき、第２電極５２００と基準電位層５５００との間の距離ｄの変化に伴う第２電極５２００の自体静電容量の変化を通じてタッチ圧力を検出することができる。また、実施形態により、第１電極５１００と第２電極５２００との間の相互静電容量の変化を通じてタッチ位置を検出でき、また、第１電極５１００及び第２電極５２００と基準電位層５５００との間の距離ｄの変化に伴う第１電極５１００と第２電極５２００との間の相互静電容量の変化を通じてタッチ圧力を検出することができる。
【００４３】
この時、第１電極５１００と第２電極５２００が同一の層に形成された場合にも、図１４ｃ及び図１４ｄを参照して説明したことと同様に、タッチ位置及び圧力が感知されてもよい。ただし、図１４ｃ及び図１４ｄにおいて、電極が図１８ｂのように構成されなければならない実施形態に対しては、第１電極５１００及び第２電極５２００が同一の層に形成される場合には、図１８ｃに示された形態のように第１電極５１００及び第２電極５２００が構成されてもよい。
【００４４】
図１４ｅに示されたように、実施形態によるタッチ位置−圧力感知モジュール５０００は、同一の層に形成された第１電極５１００及び第２電極５２００、前記第１電極５１００及び第２電極５２００が形成された層の下部層に形成された第３電極５３００、前記第３電極５３００が形成された層の下部に形成されたスペーサ層５４００、及び前記スペーサ層５４００の下部に形成された基準電位層５５００を含んでもよい。
【００４５】
この時、第１電極５１００及び第２電極５２００は、図１８ｃに示された形態のように構成及び配列されてもよく、第１電極５１００及び第３電極５３００は、図１８ｂに示された形態のように構成及び配列されてもよい。図１４ｆに示されたように、使用者の指のような客体が第１電極５１００及び第２電極５２００に近接する場合、第１電極５１００及び第２電極５２００との間の相互静電容量が変わることになり、タッチ位置を検出することができ、また、前記客体によってタッチスクリーン１３０に圧力が加えられる場合、第１電極５１００及び第３電極５３００と基準電位層５５００との間の距離ｄが変わることになり、これにより、第１電極５１００と第３電極５３００との間の相互静電容量が変わることになって、タッチ圧力を検出することができる。また、実施形態により第１電極５１００と第３電極５３００との間の相互静電容量の変化を通じてタッチ位置を検出することができ、第１電極５１００と第２電極５２００との間の相互静電容量の変化を通じてタッチ圧力を検出することができる。
【００４６】
図１４ｇに示されたように、実施形態によるタッチ位置−圧力感知モジュール５０００は、一つの層に形成された第１電極５１００、前記第１電極５１００が形成された層の下部層に形成された第２電極５２００、前記第２電極５２００が形成された層と同じ層に形成された第３電極５３００、前記第２電極５２００及び第３電極５３００が形成された層の下部に形成されたスペーサ層５４００、及び前記スペーサ層５４００の下部に形成された基準電位層５５００を含んでもよい。
【００４７】
この時、第１電極５１００及び第２電極５２００は、図１８ｂに示された形態のように構成及び配列され、第２電極５２００及び第３電極５３００は、図１８ｃに示された形態のように構成及び配列されてもよい。図１４ｈの場合、第１電極５１００と第２電極５２００との間の相互静電容量の変化を通じてタッチ位置を検出することができ、第２電極５２００と第３電極５３００との間の相互静電容量の変化を通じてタッチ圧力を検出することができる。また、実施形態により、第１電極５１００と第３電極５３００との間の相互静電容量の変化を通じてタッチ位置を検出することができ、第１電極５１００と第２電極５２００との間の相互静電容量の変化を通じてタッチ圧力を検出することができる。
【００４８】
図１４ｉに示されたように、実施形態によるタッチ位置−圧力感知モジュール５０００は、一つの層に形成された第１電極５１００、前記第１電極５１００が形成された層の下部層に形成された第２電極５２００、前記第２電極５２００が形成された層の下部層に形成された第３電極５３００、前記第３電極５３００が形成された層の下部に形成されたスペーサ層５４００、及び前記スペーサ層５４００の下部に形成された基準電位層５５００を含んでもよい。
【００４９】
この時、第１電極５１００及び第２電極５２００は、図１８ｂに示された形態のように構成及び配列されてもよく、第２電極５２００及び第３電極５３００もまた図１８ｂに示された形態のように構成及び配列されてもよい。この時、使用者の指のような客体が第１電極５１００及び第２電極５２００に近接する場合、指がグランドの役割をして、第１電極５１００及び第２電極５２００との間の相互静電容量の変化を通じてタッチ位置を検出することができ、また、前記客体によってタッチスクリーン１３０に圧力が加えられる場合、第２電極５２００及び第３電極５３００と基準電位層５５００との間の距離ｄが変わることになり、これにより、第２電極５２００と第３電極５３００との間の相互静電容量の変化を通じてタッチ圧力を検出することができる。また、実施形態により、使用者の指のような客体が第１電極５１００及び第２電極５２００に近接する場合、指がグランドの役割をして、第１電極５１００及び第２電極５２００それぞれの自体静電容量の変化を通じてタッチ位置を検出することもできる。
【００５０】
図１４ｊに示されたように、実施形態によるタッチ位置−圧力感知モジュール５０００は、一つの層に形成された第１電極５１００、前記第１電極５１００が形成された層の下部層に形成された第２電極５２００、前記第２電極５２００が形成された層の下部に形成されたスペーサ層５４００、及び前記スペーサ層５４００の下部層に形成された第３電極５３００を含んでもよい。
【００５１】
この時、第１電極５１００及び第２電極５２００は、図１８ｂに示された形態のように構成及び配列されてもよく、第３電極５３００は、図１８ａに示された形態のように構成されるか、又は、第２電極５２００及び第３電極５３００が図１８ｂに示された形態のように構成及び配列されてもよい。この時、使用者の指のような客体が第１電極５１００及び第２電極５２００に近接する場合、指がグランドの役割をして、第１電極５１００及び第２電極５２００との間の相互静電容量の変化を通じてタッチ位置を検出することができ、また、前記客体によってタッチスクリーン１３０に圧力が加えられる場合、第２電極５２００と第３電極５３００との間の距離ｄが変わることになり、これにより、第２電極５２００と第３電極５３００との間の相互静電容量の変化を通じてタッチ圧力を検出することができる。また、実施形態により、使用者の指のような客体が第１電極５１００及び第２電極５２００に近接する場合、指がグランドの役割をして、第１電極５１００及び第２電極５２００それぞれの自体静電容量の変化を通じてタッチ位置を検出することができる。
【００５２】
図１４ｋに示されたように、実施形態によるタッチ位置−圧力感知モジュール５０００は、一つの層に形成された第１電極５１００、前記第１電極５１００が形成された層の下部に形成されたスペーサ層５４００、及び前記スペーサ層５４００の下部層に形成された第２電極５２００を含んでもよい。
【００５３】
この時、第１電極５１００及び第２電極５２００は、図１８ｂに示された形態のように構成及び配列されてもよい。この時、第１電極５１００と第２電極５２００との間の相互静電容量が変化を通じてタッチ位置を検出することができ、また、前記客体によってタッチスクリーン１３０に圧力が加えられる場合、第１電極５１００と第２電極５２００との間の距離ｄが変わることになり、これにより、第１電極５１００と第２電極５２００との間の相互静電容量の変化を通じてタッチ圧力を検出することができる。また、第１電極５１００及び第２電極５２００は、図１８ａに示された形態のように構成及び配列されてもよい。この時、使用者の指のような客体が第１電極５１００に近接する場合、指がグランドの役割をして、第１電極５１００の自体静電容量が変わることになり、タッチ位置を検出することができ、第１電極５１００と第２電極５２００との間の相互静電容量の変化を通じてタッチ圧力を検出することができる。
【００５４】
図１５に示されたように、第３実施形態によるタッチスクリーン１３０は、タッチ位置感知モジュール１０００、前記タッチ位置感知モジュール１０００の下部に配置されたディスプレイモジュール３０００、前記ディスプレイモジュール３０００の下部に配置されたタッチ圧力感知モジュール２０００、及び前記タッチ圧力感知モジュール２０００の下部に配置された基板４０００を含んでもよい。
【００５５】
図１０及び図１３に示された実施形態によるタッチスクリーン１３０は、スペーサ層２４００、５４００を含むタッチ圧力感知モジュール２０００、又は、タッチ位置−圧力感知モジュール５０００がディスプレイモジュール３０００の上部に配置されるため、ディスプレイモジュール３０００の色の鮮明度、視認性、及び光の透過率が低下することがある。したがって、このような問題点が発生することを防止するために、タッチ位置感知モジュール１０００とディスプレイモジュール２０００をＯＣＡ（Ｏｐｔｉｃａｌｌｙ Ｃｌｅａｒ Ａｄｈｅｓｉｖｅ）のような接着剤を使用して完全ラミネーション（ｌａｍｉｎａｔｉｏｎ）させ、タッチ圧力感知モジュール２０００をディスプレイモジュール３０００の下部に配置することによって、前述した問題点を軽減及び解消することができる。また、ディスプレイモジュール３０００と基板４０００との間に既に形成されている間隙をタッチ圧力を感知するためのスペーサ層として使用することによって、全体的なタッチスクリーン１３０の厚さを減少させることができる。
【００５６】
図１５に示された実施形態のタッチ位置感知モジュール１０００は、図１１ａないし図１１ｄに示されたタッチ位置感知モジュールと同一である。
【００５７】
図１５に示された実施形態のタッチ圧力感知モジュール２０００は、図１２ａないし図１２ｆに示されたタッチ圧力感知モジュール、及び図１６ａないし図１６ｂに示されたタッチ圧力感知モジュールであってもよい。
【００５８】
図１６ａに示されたように、実施形態によるタッチ圧力感知モジュール２０００は、基準電位層２５００、前記基準電位層２５００の下部に形成されたスペーサ層２４００、及び前記スペーサ層２４００の下部層に形成された第１電極２１００を含んでもよい。図１６ａの構成及び動作は、単に基準電位層２５００と第１電極２１００の相対的な位置が交替したことを除いて図１２ａ及び図１２ｂの構成及び動作と同一なので、以下重複する説明は省略する。
【００５９】
図１６ｂに示されたように、実施形態によるタッチ圧力感知モジュール２０００は、基準電位層２５００、前記グランドの下部に形成されたスペーサ層２４００、前記スペーサ層２４００の下部層に形成された第１電極２１００、及び前記第１電極２１００が形成された層の下部層に形成された第２電極２２００を含んでもよい。図１６ｂの構成及び動作は、単に基準電位層２５００と第１電極２１００及び第２電極２２００の相対的な位置が交替したことを除いて図１２ｃ及び図１２ｄの構成及び動作と同一なので、以下重複する説明は省略する。この時、第１電極２１００と第２電極２２００が同一の層に形成された場合にも、図１２ｃ及び図１２ｄで説明したことと同様にタッチ圧力が感知されてもよい。
【００６０】
図１５においては、タッチ位置感知モジュール１０００の下部にディスプレイモジュール３０００が配置されたものと説明したが、タッチ位置感知モジュール１０００がディスプレイモジュール３０００の内部に含まれた形態も可能である。また、図１５ではディスプレイモジュール３０００の下部にタッチ圧力感知モジュール２０００が配置されたものと説明したが、タッチ圧力感知モジュール２０００の一部がディスプレイモジュール３０００の内部に含まれた形態も可能である。具体的に、前記タッチ圧力感知モジュール２０００の基準電位層２５００がディスプレイモジュール３０００の内部に配置され、前記ディスプレイモジュール３０００の下部に電極２１００、２２００が形成されてもよい。このように基準電位層２５００がディスプレイモジュール３０００の内部に配置されれば、ディスプレイモジュール３０００の内部に形成されている間隙をタッチ圧力を感知するためのスペーサ層として使用することによって、全体的なタッチスクリーン１３０の厚さを減少させることができる。この時、前記基板４０００の上部に電極２１００、２２００が形成されてもよい。このように、電極２１００、２２００が基板４０００の上部に形成されれば、ディスプレイモジュール３００の内部に形成されている間隙だけでなく、ディスプレイモジュール３０００と基板４０００との間に形成されている間隙をタッチ圧力を感知するためのスペーサ層として使用することによって、タッチ圧力を感知する感度をもう少し高めることができる。
【００６１】
図１７ａは、第４実施形態によるスクリーンの構造図を例示する。図１７ａに示されたように、本発明の第４実施形態によるタッチスクリーン１３０は、ディスプレイモジュール３０００内にタッチ位置感知モジュールとタッチ圧力感知モジュールのうち少なくとも一つを含んでもよい。
【００６２】
図１７ｂ及び１７ｃは、それぞれ第４実施形態によるタッチスクリーンのタッチ圧力感知及びタッチ位置感知のための構造図である。図１７ｂ及び図１７ｃでは、ディスプレイモジュール３０００としてＬＣＤパネルを例示する。
【００６３】
ＬＣＤパネルの場合、ディスプレイモジュール３０００は、ＴＦＴ層３１００及びカラーフィルター層３３００（ｃｏｌｏｒ ｆｉｌｔｅｒ ｌａｙｅｒ）を含んでもよい。ＴＦＴ層３１００は、その真上に位置するＴＦＴ基板層３１１０を含む。カラーフィルター層３３００は、その真下に位置するカラーフィルター基板層３２００を含む。ディスプレイモジュール３０００は、ＴＦＴ層３１００とカラーフィルター層３３００との間に液晶層３６００（ｌｉｑｕｉｄ ｃｒｙｓｔａｌ ｌａｙｅｒ）を含む。この時、ＴＦＴ基板層３１１０は，液晶層３６００を駆動するための電場（ｅｌｅｃｔｒｉｃ ｆｉｅｌｄ）を生成するのに必要な電気的構成要素を含む。特に、ＴＦＴ基板層３１１０は、データライン（ｄａｔａ ｌｉｎｅ）、ゲートライン（ｇａｔｅ ｌｉｎｅ）、ＴＦＴ、共通（ｃｏｍｍｏｎ）電極、及びピクセル電極などを含む多様な層からなってもよい。これらの電気的構成要素は、制御された電場を生成して液晶層３６００に位置した液晶を配向させるように作動することができる。より具体的に、ＴＦＴ基板層３１１０は、コラム共通電極３４３０（Ｃｏｌｕｍｎ Ｖｃｏｍ）、ロー共通電極３４１０（ｌｏｗ Ｖｃｏｍ）、及びガード遮蔽電極３４２０（Ｇｕａｒｄ ｓｈｉｅｌｄ ｅｌｅｃｔｒｏｄｅ）を含んでもよい。ガード遮蔽電極３４２０は、コラム共通電極３４３０とロー共通電極３４１０との間に位置し、この両者の間に発生し得るフリンジフィールド（ｆｒｉｎｇｅ ｆｉｌｅｄ）により引き起こされる干渉を最小化にすることができる。以上のＬＣＤパネルに対する説明は、ＬＣＤ技術分野の当業者には自明な事項である。
【００６４】
図１７ｂに例示されたように、本発明のディスプレイモジュール３０００は、カラーフィルター基板層３２００に配置されたサブフォトスペーサ３５００（ｓｕｂ−ｐｈｏｔｏ ｓｐａｃｅｒ）を含んでもよい。これらのサブフォトスペーサ３５００は、ロー共通電極３４１０と隣接したガード遮蔽電極３４２０との間の境界点の上に配置されてもよい。この時、ＩＴＯのような伝導性物質層３５１０がサブフォトスペーサ３５００上にパターニングされてもよい。ここで、フリンジ静電容量Ｃ１がロー共通電極３４１０と伝導性物質層３５１０との間に形成され、フリンジ静電容量Ｃ２がガード遮蔽電極３４２０と伝導性物質層３５１０との間に形成されてもよい。
【００６５】
図１７ｂに例示されたようなディスプレイモジュール３０００がタッチ圧力感知モジュールとして動作する時、外部圧力によってサブフォトスペーサ３５００とＴＦＴ基板層３１１０との間の距離が減少し、これによりロー共通電極３４１０とガード遮蔽電極３４２０との間の静電容量が減少することができる。したがって、図１７ｂにおいて、伝導性物質層３５１０が基準電位層の役割を行い、ロー共通電極３４１０とガード遮蔽電極３４２０との間の静電容量の変化を感知することによって、タッチ圧力を感知することができる。
【００６６】
図１７ｃは、ＬＣＤパネルが、ディスプレイモジュール３０００がタッチ位置感知モジュールとして用いられる場合の構造を例示する。図１７ｃでは、共通電極３７３０の配列を例示する。この時、タッチ位置を検出するために、これらの共通電極３７３０は第１領域３７１０と第２領域３７２０とにグループ付けすることができる。したがって、例えば一つの第１領域３７１０に含まれた共通電極３７３０は、図１８ｃの第１電極６４００に対応して機能するように操作されてもよく、また、一つの第２領域３７２０に含まれた共通電極３７３０は、図１８ｃの第２電極６５００に対応して機能するように操作されてもよい。すなわち、ＬＣＤパネルを動作させるための電気的な構成である共通電極３７３０をタッチ位置を検出するのに利用するために共通電極３７３０はグルーピングされてもよく、このようなグルーピングは、構造的な構成と共に動作操作によって達成され得る。
【００６７】
以上で詳しく見たように、図１７に例示されたようなディスプレイモジュール３０００は、ディスプレイモジュール３０００の電気的構成要素を本来の目的どおりに動作するようにすることによって、ディスプレイモジュール３０００として機能することができる。また、ディスプレイモジュール３０００は、ディスプレイモジュール３０００の電気的構成要素の少なくとも一部をタッチ圧力感知のために動作するようにすることによって、タッチ圧力感知モジュールとして機能することができる。また、ディスプレイモジュール３０００は、ディスプレイモジュール３０００の電気的構成要素の少なくとも一部をタッチ位置感知のために動作するようにすることによって、タッチ位置感知モジュールとして機能することができる。この時、それぞれの動作モード（ｍｏｄｅ）は、時分割で動作することができる。すなわち、第１時間区間にディスプレイモジュール３０００はディスプレイモジュールとして作動し、第２時間区間に圧力感知モジュールとして、及び／又は第３時間区間に位置感知モジュールとして機能することができる。
【００６８】
図１７ｂ及び図１７ｃにおいては、単に説明のためにタッチ圧力及び位置感知のためのそれぞれの構造に対して例示するだけであり、ディスプレイモジュール３０００のディスプレイ動作のための電気的構成要素を操作することによって、ディスプレイモジュール３０００がタッチ圧力及び／又はタッチ位置感知のために用いられ得る場合ならば、第４実施形態に含まれてもよい。
【００６９】
図１は、本発明の実施形態によるタッチ入力装置１００の構造図である。本発明の実施形態による装置１００は、制御器１１０、タッチスクリーン１３０、及びプロセッサ１４０を含んでもよい。
【００７０】
タッチスクリーン１３０に対するタッチを通じてタッチ入力装置１００に対する入力（ｉｎｐｕｔ）が行われてもよい。本発明の実施形態によるタッチ入力装置１００は、ノートブック（ｎｏｔｅｂｏｏｋ）コンピュータ、ＰＤＡ（Ｐｅｒｓｏｎａｌ Ｄｉｇｉｔａｌ Ａｓｓｉｓｔａｎｔ）、及びスマートフォン（ｓｍａｒｔ ｐｈｏｎｅ）のような携帯用電子装置であってもよい。また、本発明の実施形態によるタッチ入力装置１００は、デスクトップ（ｄｅｓｋｔｏｐ）コンピュータ、スマートテレビ（ｓｍａｒｔ ｔｅｌｅｖｉｓｉｏｎ）のような非移動式電子装置であってもよい。
【００７１】
本発明の実施形態によるタッチスクリーン１３０は、使用者が指のような客体でスクリーンを接触（タッチ）することにより、使用者がコンピューティングシステムを操作することができるようにする。一般的に、タッチスクリーン１３０はパネル上の接触を認識し、コンピューティングシステムは、このような接触を解釈することによって、これに従い演算を行うことができる。
【００７２】
本発明の実施形態によるプロセッサ１４０は、タッチスクリーン１３０に対するタッチの際、タッチスクリーン１３０に対するタッチの有無及びタッチの位置を検出することができる。また、プロセッサ１４０は、タッチスクリーン１３０に対するタッチの際、タッチにより発生する静電容量の変化量を測定することができる。
【００７３】
具体的に、プロセッサ１４０は、タッチスクリーン１３０のタッチ位置感知モジュール１０００、又はタッチ位置−圧力感知モジュール５０００を通じてタッチスクリーン１３０に対する客体１０の近接による静電容量の変化量を測定し、測定された静電容量の変化量からタッチ位置を算出することができる。また、実施形態により、プロセッサ１４０は、タッチスクリーン１３０のタッチ位置／圧力を感知することができるディスプレイモジュール３０００を通じて、前述したタッチ位置を算出することができる。
【００７４】
また、タッチの際のタッチ圧力及び／又はタッチ面積により、前記静電容量の変化量の大きさが変わり得る。したがって、タッチスクリーン１３０に対するタッチの際、プロセッサ１４０はタッチ圧力及び／又はタッチ面積による静電容量の変化量の大きさを測定することができる。ここで、タッチ圧力及び／又はタッチ面積が小さいほど静電容量の変化量は小さくてもよく、タッチ圧力及び／又はタッチ面積が大きいほど静電容量の変化量は大きくてもよい。
【００７５】
具体的に、プロセッサ１４０は、タッチスクリーン１３０のタッチ圧力感知モジュール２０００、タッチ位置−圧力感知モジュール５０００又はタッチ圧力を感知できるディスプレイモジュール３０００を通じてタッチスクリーン１３０に加えられる客体１０の圧力による静電容量の変化量を測定し、測定された静電容量の変化量からタッチ圧力の大きさを算出することができる。
【００７６】
タッチスクリーン１３０にタッチされる客体１０により発生する静電容量の変化量は、複数の感知セルそれぞれの静電容量の変化量の合計で測定することができる。例えば、図２ａに示されたように、客体１０によってタッチスクリーン１３０に入力されたタッチが、一般的なタッチの場合の静電容量の変化量の合計は９０である。また、図２ｂに示されたように、客体１０によってタッチスクリーン１３０に入力されたタッチが、圧力が加えられたタッチである場合の静電容量の変化量の合計は５７０（＝９０＋７０＋７０＋７０＋７０＋５０＋５０＋５０＋５０）である。
【００７７】
また、プロセッサ１４０は、タッチスクリーン１３０のタッチ位置感知モジュール１０００、タッチ位置−圧力感知モジュール５０００又はタッチ位置／圧力を感知できるディスプレイモジュール３０００を通じてタッチスクリーン１３０に対する客体１０の近接による静電容量の変化量を測定し、測定された静電容量の変化量からタッチ面積を算出することができる。例えば、図３ａに示されたように、タッチスクリーン１３０にタッチされる客体１０の面積がａの場合の静電容量の変化量は９０（＝５０＋１０＋１０＋１０＋１０）である。図３ｂに示されたように、タッチ入力装置１３０にタッチされる客体１０の面積がａより大きいｂの場合の静電容量の変化量は３１０（＝５０＋４５＋４５＋４５＋４５＋２０＋２０＋２０＋２０）である。この時、図３ａ及び図３ｂの場合、全て客体１０でタッチ入力装置１３０をタッチの際に印加される圧力の大きさは０であるか、又は同一であってもよい。
【００７８】
特に、本発明の実施形態によるプロセッサ１４０は、タッチスクリーン１３０に対して直接的にタッチしないが、タッチスクリーン１３０において静電容量の変化を起こす程度に指のような客体が十分に近くタッチスクリーン１３０に近接したホバー（ｈｏｖｅｒ）を認識することができる。
【００７９】
例えば、タッチスクリーン１３０の表面から客体が約２ｃｍ以内に位置する場合に、プロセッサ１４０はタッチスクリーン１３０のタッチ位置感知モジュール１０００又はタッチ位置−圧力感知モジュール５０００を通じてタッチスクリーン１３０に対する客体１０の近接による静電容量の変化量を測定し、測定された静電容量の変化量から前記客体存在の有無とともに客体の位置を算出することができる。
【００８０】
客体の動きがタッチスクリーン１３０に対するホバーリングと認識されるために、ホバーリングによりタッチスクリーン１３０で発生する静電容量の変化量が、一般的なタッチスクリーン１３０で発生する静電容量の変化量の誤差より大きいことが好ましい。
【００８１】
このような客体のホバーリングの間に発生するタッチスクリーン１３０における相互静電容量の変化量の大きさは、タッチスクリーン１３０に対する直接的なタッチの静電容量の変化量の大きさより小さくてもよい。以下で、タッチスクリーン１３０に対するタッチは、ホバーリングを含んでもよい。例えば、ホバーリングの場合、タッチ圧力及び／又はタッチ面積が最も小さい場合に分類されてもよい。
【００８２】
したがって、プロセッサ１４０は、タッチスクリーン１３０で発生する静電容量の変化量を検出してタッチがあったかどうか、タッチの位置／タッチ圧力の大きさ／タッチ面積を算出し、及び／又はタッチに対する静電容量の変化量を測定することができる。
【００８３】
プロセッサ１４０は、測定された静電容量の変化量及び／又は測定された静電容量の変化量から算出されたタッチ位置、タッチ圧力の大きさ、及びタッチ面積のうち少なくとも何れか一つを制御器１１０に伝送する。この時、制御器１１０は、プロセッサ１４０から伝送された静電容量の変化量を用いてタッチ時間を計算することができる。発明の実施形態により、制御器１１０はアプリケーションプロセッサ（ａｐｐｌｉｃａｔｉｏｎ ｐｒｏｃｅｓｓｏｒ）であってもよい。アプリケーションプロセッサは、携帯用電子装置において命令解釈、演算、及び制御などの機能を行うことができる処理装置である。
【００８４】
具体的に、タッチ入力装置１３０に対するタッチがホバーリングである場合、制御器１１０は、静電容量の変化量が第１所定値以上及び第２所定値以下に維持される時間を測定することによって、客体がタッチスクリーン１３０にタッチされた時間を計算することができる。ここで、前記第１所定値は、ホバーリングと認識され得る静電容量の変化量の最小値であってもよく、前記第２所定値は、ホバーリングと認識され得る静電容量の変化量の最大値であってもよい。例えば、前記第１所定値が２０であり、前記第２所定値が５０である時、図４ａに示されたように、静電容量の変化量が２０以上５０以下に維持される時間が８ｔであるため、ホバーリングによるタッチ時間は８ｔである。
【００８５】
また、タッチスクリーン１３０に対するタッチが直接的なタッチである場合、制御器１１０は、静電容量の変化量が前記第２所定値を超過して維持される時間を測定することによって、客体がタッチスクリーン１３０にタッチされた時間を計算することができる。例えば、前記第２所定値が５０である時、図４ｂに示されたように、静電容量の変化量が５０を超過して維持される時間が２ｔであるため、直接的なタッチによるタッチ時間は２ｔである。
【００８６】
本発明の実施形態によるタッチスクリーン１３０を含むタッチ入力装置１００は、メモリ１２０をさらに含んでもよい。
【００８７】
制御器１１０は、プロセッサ１４０から伝送された静電容量の変化量又は静電容量の変化量から計算されたタッチ時間により、メモリ１２０を参照してタッチスクリーン１３０に対するタッチのタッチレベルを決定し、タッチレベルに伴うフィードバックのための制御信号を生成することができる。
【００８８】
本発明の実施形態によるメモリ１２０は、レベルテーブル（図示せず）及びフィードバックテーブル（図示せず）を含んでもよい。レベルテーブルは、静電容量の変化量及び／又はタッチ時間に対するタッチレベルを格納していてもよい。フィードバックテーブルは、タッチレベルに対するフィードバック手段及び／又はフィードバック方法を格納していてもよい。これに対しては、以下で図６ａないし図８を参照してさらに詳しく説明される。
【００８９】
タッチ入力装置１００の利用により、タッチスクリーン１３０に対するタッチレベルを区別する必要性がある。すなわち、タッチスクリーン１３０をタッチするタッチレベルが異なるタッチは、タッチ入力装置１００に対する互いに異なる入力になってもよい。しかし、使用者がタッチスクリーン１３０をタッチする時、自身がどんなタッチレベルでタッチスクリーン１３０をタッチするのかに対し、自ら自覚するのに困難さがある。したがって、本発明の実施形態によるタッチ入力装置１００は、使用者がタッチスクリーン１３０をタッチの際にタッチレベルに対するフィードバック（ｆｅｅｄ−ｂａｃｋ）を提供することができる。
【００９０】
制御器１１０のレベル決定部において、タッチ圧力の大きさ及びタッチ面積のうち少なくとも一つは、静電容量の変化量の大きさ区間によって段階的なタッチレベルに分類されてもよい。例えば、静電容量の変化量が０ないし６００の間の値を有すると仮定する場合、最も小さい値を有する０超過ないし１５０の範囲の静電容量の変化量に対しては第１レベルで、その次に大きい値を有する１５０超過ないし３００の範囲の静電容量の変化量に対しては第２レベルで、その次に大きい値を有する３００超過ないし４５０の範囲の静電容量の変化量に対しては第３レベルで、そして最も大きい値を有する４５０超過ないし６００の範囲の静電容量の変化量に対しては第４レベルで計算されてもよい。実施形態により第１レベルはホバーリングによるタッチ圧力の大きさ又はタッチ面積を示してもよい。この時、圧力の大きさ又はタッチ面積の段階区分は、実施形態により変わり得る。例えば、ホバーリングと直接タッチだけを区別することもでき、ホバーリングを含んで多様なレベルで区分することもできる。このような静電容量の変化量とタッチレベルとの相関関係は、レベルテーブルに格納されてもよい。
【００９１】
これは単に例示に過ぎず、タッチ圧力の大きさ及び／又はタッチ面積は、静電容量の変化量に比例するように連続した値を有するように設定されてもよい。
【００９２】
したがって、図２ａ及び図３ａに示されたようなタッチの際に静電容量の変化量は９０であるため第１レベルで計算することができ、図２ｂに示されたようなタッチの際に静電容量の変化量は５７０であるため第４レベルで計算することができ、図３ｂに示されたようなタッチの際に静電容量の変化量は３１０であるため第３レベルで計算することができる。
【００９３】
しかし、これは単に例示に過ぎず、タッチレベルを計算せずに、静電容量の変化量からフィードバックを決定することができる。このような場合、静電容量の変化量が０ないし６００の値を有するものと仮定すると、例えば、０超過ないし１５０の範囲におけるフィードバック、１５０超過ないし３００の範囲におけるフィードバック、３００超過ないし４５０の範囲におけるフィードバック、そして４５０超過ないし６００の範囲におけるフィードバックが互いに区分されるように、メモリ１２０のフィードバックテーブルが作成されてもよい。
【００９４】
また、レベル決定部において、タッチ時間は段階的なタッチレベルに分類されてもよい。具体的に、タッチ時間が０ｔないし１２ｔの間の値を有すると仮定する場合、０ｔ超過ないし３ｔの範囲のタッチ時間に対しては第１レベルで、その次に大きい値を有する３ｔ超過ないし６ｔの範囲のタッチ時間に対しては第２レベルで、その次に大きい値を有する６ｔ超過ないし９ｔの範囲のタッチ時間に対して第３レベルで、そして最も大きい値を有する９ｔ超過ないし１２ｔの範囲のタッチ時間に対しては第４レベルで計算することができる。したがって、図４ａに示されたタッチ時間８ｔは第３レベルで計算することができ、図４ｂに示されたタッチ時間４ｔは第２レベルで計算することができる。このようなタッチ時間とタッチレベルとの相関関係は、メモリ１２０のレベルテーブルに格納されてもよい。
【００９５】
しかし、これは単に例示に過ぎず、タッチレベルを計算せずに、タッチ時間からフィードバックを決定することができる。このような場合、タッチ時間が０ｔ超過ないし３ｔの範囲におけるフィードバック、３ｔ超過ないし６ｔの範囲におけるフィードバック、６ｔ超過ないし９ｔの範囲におけるフィードバック、そして９ｔ超過ないし１２ｔの範囲におけるフィードバックが互いに区分されるように、メモリ１２０のフィードバックテーブルが作成されてもよい。
【００９６】
以上で詳しくみたようなタッチレベルを決定する過程は、制御器１１０の圧力の大きさ決定部で行われるか、又は、プロセッサ１４０を通じて行われてもよい。
【００９７】
図５は、本発明の実施形態によるタッチ入力装置１００のタッチスクリーン１３０に対するタッチレベルに伴うフィードバック遂行段階を例示する。図５に示されたように、本発明の実施形態によるタッチ入力装置１００のタッチスクリーン１３０に対するタッチレベルに伴うフィードバック遂行方法は、タッチスクリーン１３０にディスプレイされたタッチ入力ウィンドウ２００に対するタッチが遂行される段階Ｓ２１０を含んでもよい。
【００９８】
タッチ入力ウィンドウ２００は、タッチ入力装置１００のタッチスクリーン１３０にディスプレイされ、一般的に図６に図面符号４００で表示されたように、使用者がタッチする領域が表示された画面であってもよい。以下では、タッチ領域が明示的に表示された場合に対して説明するが、これは単に例示に過ぎず、タッチ位置は必ずしも明示的に表示される必要はない。例えば、タッチスクリーン１３０にディスプレイされたタッチ入力ウィンドウ２００の任意の位置がタッチされてもよく、また、タッチ入力ウィンドウ２００のすでに設定された位置がタッチされることもある。図６及び以下の説明では、タッチ入力ウィンドウ２００がタッチスクリーン１３０全体にディスプレイされたことを例示するが、タッチ入力ウィンドウ２００は、タッチスクリーン１３０の一部、例えば図面符号４００で表示されたタッチ領域のみを表わすこともある。
【００９９】
図５に示されたように、本発明の実施形態によるタッチレベルに伴うフィードバック遂行方法は、タッチスクリーン１３０にディスプレイされたタッチ入力ウィンドウ２００に対するタッチレベルを決定する段階Ｓ２２０を含んでもよい。タッチレベルを決定する段階Ｓ２２０は、制御器１１０で行われてもよい。例えば、制御器１１０は、プロセッサ１４０で処理されたタッチによる静電容量の変化量に対応するレベルを決定するレベル決定部を含んでもよい。この時、制御器１１０は、メモリ１２０に含まれたタッチ圧力の大きさ、タッチ面積及び／又はタッチ時間とレベルの相関関係に対するテーブル、すなわちレベルテーブルを参照することができる。
【０１００】
レベルテーブルは、タッチスクリーン１３０に対するタッチ発生の際、タッチ圧力の大きさ及び／又はタッチ面積により、タッチスクリーン１３０で発生する静電容量の変化量とタッチレベルの相関関係、又は静電容量の変化量から計算されたタッチ時間とタッチレベルの相関関係を格納することができる。タッチ圧力の大きさ、タッチ面積及び／又はタッチ時間により、タッチレベルは複数個に区分されてもよい。例えば、タッチレベルは、少なくとも２個以上のレベルを有してもよい。
【０１０１】
また、実施形態により、制御器１１０はメモリ１２０を参照することなしに、単純にプロセッサ１４０から伝達された静電容量の変化量に対するデータから直接複数のタッチレベルを決定することができる。
【０１０２】
図５に示されたように、本発明の実施形態にタッチレベルに伴うフィードバック遂行方法は、タッチレベルに伴うフィードバックのための制御信号を生成する段階Ｓ２３０を含んでもよい。
【０１０３】
制御信号を生成する段階Ｓ２３０は、複数のタッチレベルそれぞれに対する固有のフィードバック方法を格納するメモリ１２０を参照して行われてもよい。タッチレベルに伴うフィードバック手段もまたメモリ１２０のフィードバックテーブルに共に格納されてもよい。例えば、振動、声、及び画面表示のうち何れのフィードバック手段によりタッチレベルに伴うフィードバックを行うかに対する情報が、フィードバックテーブルに格納されてもよい。例えば、メモリ１２０は、複数のレベルそれぞれに対応するフィードバック手段及び／又はフィードバック方法を格納しているフィードバックテーブルを含んでもよい。
【０１０４】
例えば、制御器１１０の制御信号生成部で生成された制御信号は、該当フィードバックを行う手段のディスプレイ駆動部（図示せず）、スピーカー駆動部（図示せず）、振動素子駆動部（図示せず）のうち少なくとも一つに伝達されてもよい。
【０１０５】
図５に示されたように、本発明の実施形態によるタッチレベルに伴うフィードバック遂行方法は、段階Ｓ２３０で生成された制御信号により、フィードバックを行う段階Ｓ２４０を含んでもよい。フィードバックは、タッチスクリーン１３０に対するタッチレベルによって定められたフィードバック手段で、該当タッチレベルに対するフィードバック方法で行われてもよい。
【０１０６】
本発明の実施形態によるフィードバック方法において、フィードバックが行われる段階Ｓ２４０は、客体がタッチスクリーンに対するタッチ中になされてもよい。例えば、使用者は、客体を用いてタッチスクリーン１３０に対するタッチをしながら、該当タッチレベルをフィードバックを通じて確認することができる。
【０１０７】
図６ａないし図８は、本発明の実施形態によるタッチレベルに伴うフィードバック手段及び方法を示す。図６ａないし図６ｅは、本発明の第１実施形態によるタッチレベルに伴うフィードバック手段及び方法を例示する。
【０１０８】
図６ａでは、タッチ領域４００を指５００でタッチする時に、タッチレベルに対するフィードバックがタッチスクリーン１３０にディスプレイされることを例示する。前記フィードバックは、複数のタッチレベルそれぞれが区分されるように、任意の形又は方法を通じてタッチスクリーン１３０に表示されてもよい。
【０１０９】
図６ａでは、デジタルバー６００（ｄｉｇｉｔａｌ ｂａｒ）形式でタッチ領域４００に対するタッチレベルがタッチスクリーン１３０に表示されることを例示する。例えば、使用者は、タッチ領域４００をタッチする時、タッチスクリーン１３０に表示されたデジタルバー６００を確認することによって、タッチレベルが分かる。
【０１１０】
図６ａでは、指５００がタッチ領域４００を第３レベルで押していることを示す。図６ａに示されたように、デジタルバー６００は、第１レベルないし第４レベルまで４通りの状態を区分して示すことができる。例えば、デジタルバー６００は、タッチ領域４００をタッチするタッチレベルが第１レベルである時、第１バー６０１を陰影で表示し、第２レベルである時、第１バー６０１及び第２バー６０２を陰影で表示し、第３レベルである時は、第１バー６０１ないし第３バー６０３を陰影で表示し、そして第４レベルである時は、第１バー６０１ないし第４バー６０４を陰影で表示することができる。図６ａにおいて、デジタルバー６００は、第１バー６０１ないし第３バー６０３が陰影で表示され、第４バー６０４が陰影で表示されないため、指５００が第３レベルでタッチ領域４００をタッチしているということが分かる。
【０１１１】
デジタルバー６００は、例えばタッチ領域４００に対するタッチが成される時、画面に表示されてもよい。使用者は、デジタルバー６００を通じてタッチ領域４００をタッチするタッチレベルの変化を視覚的に確認することができる。使用者は、所望するタッチレベルを最終選択する前まで、タッチレベルを変更することができる。
【０１１２】
タッチ圧力の大きさ又はタッチ面積によるタッチレベルを変更しようとする場合、タッチ領域４００にタッチされる指５００のタッチ圧力の大きさ又は面積を調節することにより、使用者の所望するタッチレベルを選択することができる。
【０１１３】
タッチ時間によるタッチレベルを変更しようとする場合、所望するタッチレベルが到達しない場合、使用者の所望するタッチ時間に達する時までタッチを維持して所望するタッチレベルを選択することができる。しかし、所望するタッチレベルを超した場合には、タッチレベルを下げて選択することができない。このような場合、所定の最大タッチ時間を超してタッチを維持すれば、再びタッチレベルをリセットして低いレベルのタッチレベルを選択できるようにすることで、所望するタッチレベルを選択することができる。
【０１１４】
具体的に、デジタルバー６００は、タッチ領域４００をタッチする時間が第４レベルを超過すると、タッチレベルが再び第１レベルからスタートし、この時再び第１レベルであることを表示する第１バー６０１を陰影で表示することができる。以後、タッチ時間が増加するにつれ、第２レベル、第３レベル、及び第４レベルの順序でタッチレベルが表示されてもよい。
【０１１５】
また、前述したことと異なり、デジタルバー６００は、タッチ領域４００をタッチする時間が第４レベルを超過すると、タッチレベルが第３レベルに下げられて、この時再び第３レベルであることを表示する第１バーないし第３バー６０１、６０２、６０３を陰影で表示することができる。以後、タッチ時間が増加するにつれ、逆の順序で第２レベル、第１レベルとレベルが低くなって、第１レベルに到達すると再び第２レベル、第３レベルの順序で増加するようにレベルが表示されてもよい。
【０１１６】
以後、使用者は、デジタルバー６００を通じてタッチレベルを確認した後、所望するタッチレベルを選択することができる。例えば、使用者は、所望するタッチレベルでタッチ領域４００をタッチした後、タッチ入力ウィンドウ２００から指５００を離すことができる。この時、タッチ圧力の大きさ及び／又はタッチ面積によってタッチレベルを選択する場合、使用者の指５００がタッチスクリーン１３０に対するホバーリングと認識され得る位置に留まる場合、制御器１１０はまだタッチレベルを確認する過程にあるものと認識することができる。したがって、使用者は、所望するタッチレベルでタッチスクリーン１３０のタッチ領域４００を押した後、指５００がタッチスクリーン１３０に対するホバーリングと認識され得る位置を脱するように移動させることができる。
【０１１７】
例えば、所望するタッチレベルが第３レベルである時、使用者は、タッチ領域４００を押すタッチレベルが第３レベルであることを図６ａに示されたようなデジタルバー６００を通じて確認した後、指５００をタッチ入力ウィンドウ２００から離すことによって、第３レベルの選択をなすことができる。
【０１１８】
この時、タッチ圧力の大きさ及び／又はタッチ面積によってタッチレベルを選択する場合、指５００を離す過程でタッチ領域４００に対するタッチ圧力の大きさ又はタッチ面積は、第３レベルから第２レベル及び第１レベルを過ぎてタッチ圧力の大きさ又はタッチ面積がない状態に到達するだろう。この時、各タッチレベルに留まる時間が所定時間以下である時は、該当タッチレベルでの選択が成されないように制御器１１０を設定することで、手を離す時に間違ったタッチレベルに選択されるエラーを防止することができる。これにより、指５００を離す場合のように急激にタッチ圧力の大きさ又はタッチ面積が変化する時、間違った選択が成されることが防止され得る。例えば、第３レベルを選択して指５００を離す場合、第１レベルに選択されるエラーが防止され得る。
【０１１９】
メモリ１２０に含まれたフィードバックテーブルは、タッチ領域４００に対するタッチレベルに伴うフィードバック手段及び／又は方法がそれぞれ格納されてもよい。制御器１１０は、タッチ領域４００をタッチするタッチレベルにより、レベルテーブルを参照して該当タッチレベルを示す出力が成されるように制御信号を生成することができる。
【０１２０】
図６ａにおいて、フィードバックテーブルには、フィードバック手段としてタッチ スクリーン１３０にディスプレイされるデジタルバー６００があらかじめ設定されていてもよく、フィードバック方法として第３レベルを示すようにデジタルバー６００の第１バー６０１ないし第３バー６０３が陰影処理されるように格納されていてもよい。図６ａにおいて、制御器１１０の制御信号生成部で生成された制御信号は、該当フィードバック手段であるタッチスクリーン１３０のディスプレイパネルを駆動することができるディスプレイ駆動部（図示せず）に直接又は間接的に伝達されてもよい。
【０１２１】
フィードバック手段とフィードバック方法を示す制御信号は、ディスプレイ駆動部（図示せず）を通じて前記制御信号によりディスプレイパネルにデジタルバー６００を表示して、第１バー６０１ないし第４バー６０４を陰影処理するようにする信号であってもよい。
【０１２２】
タッチスクリーン１３０のディスプレイパネルを通じてタッチスクリーン１３０に対するタッチレベルを確認できる方法は、以上で説明されたデジタルバー６００に制限されず、任意の多様な方法が用いられてもよい。図６ａに示されたデジタルバー６００のように、統一された手段が示された後、タッチレベルにより差等的に陰影等を異なるようにすることでタッチレベルを区分できるだけでなく、タッチレベルによって全く相関関係がないそれぞれ異なる図形、アイコン（ｉｃｏｎ）等がタッチスクリーン１３０にディスプレイされてもよい。
【０１２３】
より具体的に、図６ａに示されたフィードバック方法では、タッチレベルに伴うフィードバックが互いに相関関係があることが分かる。すなわち、タッチレベルが大きくなるにつれてデジタルバー６００で陰影処理がなされるバー（ｂａｒ）の個数及び／又は順序が大きくなる正（＋）の相関関係を有する。このような相関関係は、例えばタッチレベルが大きくなるにつれて陰影処理されるところの個数及び／又は順序が小さくなるようにする負（−）の相関関係を有するように構成されてもよい。
【０１２４】
このように、複数のタッチレベルそれぞれに対するフィードバックが相関関係を有するように行われる場合、使用者がフィードバックを認知する瞬間、直観的にどのようなタッチレベルでタッチスクリーン１３０に対してタッチしたかを知ることができる長所がある。しかし、個人情報を含んだプライバシー（ｐｒｉｖａｃｙ）などが重要に認識されている傾向において、使用者の入力行為に伴う情報を保護する必要性がある場合、問題点が引き起こされることがある。
【０１２５】
したがって、本願発明では、使用者のタッチスクリーン１３０に対するタッチの際、タッチレベルに伴うフィードバックを提供するが、これを第三者が容易に認識できないようにするフィードバック技術を提供することができる。すなわち、本願発明では、複数のタッチレベルそれぞれに対するフィードバックが互いに非相関（ｕｎｃｏｒｒｅｌａｔｉｏｎ）関係を有するようにフィードバックを提供することができる。すなわち、タッチレベルに対するフィードバックは、該当タッチレベルを直観的に把握できないように選択されて行われてもよい。
【０１２６】
図６ｂないし図６ｅでは、複数のタッチレベルそれぞれに対するフィードバックが互いに非相関関係にある場合を例示する。
【０１２７】
図６ｂに示されたように、使用者が第１レベルでタッチ領域４００をタッチする際に円６０１がディスプレイされるようにフィードバックを提供することができる。使用者は、あらかじめ円６０１の図形が第１レベルを表わすフィードバックであることを認知しているか、又は、使用者があらかじめ設定することができる。
【０１２８】
図６ｃに示されたように、使用者が第２レベルでタッチ領域４００をタッチする際に三角形６０２がディスプレイされるようにフィードバックを提供することができる。これと同様に、図６ｄ及び図６ｅに示されたように、使用者が第３レベル及び第４レベルでタッチ領域４００をタッチする際に四角形６０３及び菱形６０４がディスプレイされるようにフィードバックを提供することができる。
【０１２９】
この時、第三者は、タッチスクリーン１３０に円６０１、三角形６０２、四角形６０３、及び菱形６０４がディスプレイされたことを見ても、該当図形がどのようなタッチレベルを有するのか認知することができない。したがって、使用者のタッチレベルに伴うタッチ情報が第三者から保護され、セキュリティー性が向上され得る。この時、使用者は、あらかじめこのような図形、アイコンなどが表わすタッチレベルを熟知していてもよい。使用者は、このような図形変化により自身のタッチレベルを確認することができる。
【０１３０】
以上では、フィードバック方法が複数のタッチレベルそれぞれに対して非相関関係を有する場合に対して説明したが、これは単に例示に過ぎず、フィードバック方法だけでなくフィードバック手段もまたタッチレベルによって非相関関係を有するように設定されてもよい。例えば、第１レベルに対しては、タッチスクリーンに第１図形が示され、第２レベルに対しては第１リズムを有するように振動が行われてもよい。
【０１３１】
図７及び図８を参照して説明されるフィードバック方法は、図６を参照して説明されるフィードバック方法と類似しており、以下ではその相違点を中心に説明する。
【０１３２】
図７ａでは、タッチ領域４００を指５００でタッチする際に、タッチレベルがスピーカー３００（ｓｐｅａｋｅｒ）を通じて声３１０として出力されてもよい。この時、フィードバックテーブルは、フィードバック手段としてスピーカーを通じた出力がすでに設定されていてもよく、また、フィードバック方法でタッチレベルにより区分されて出力される声が格納されていてもよい。
【０１３３】
この時、制御器１１０の制御信号生成部から出力される制御信号は、スピーカー駆動部（図示せず）に伝達され、スピーカー３００が該当フィードバック方法により駆動され得るようにする信号であってもよい。複数のタッチレベルをそれぞれ区分することができるように、スピーカー３００を通じて出力される声３１０の周波数、大きさ、長さ、種類、メロディ及び回数のうち少なくとも何れか一つが変わってもよい。
【０１３４】
この時、複数のタッチレベルそれぞれに対するフィードバックが相関関係を有するように行われてもよいが、本発明による場合、複数のタッチレベルそれぞれに対するフィードバックは非相関関係を有するように行われてもよい。例えば、複数のタッチレベルそれぞれに対するフィードバックが相関関係を有する場合というのは、第１レベルに対しては１回の声を生成し、第２レベルに対しては２回の声を生成し、第３レベルに対しては３回の声を生成し、そして第４レベルに対しては４回の声を生成するようにフィードバックが行われてもよい。
【０１３５】
図７ｂでは、複数のタッチレベルそれぞれに対するフィードバックが互いに非相関関係にある場合を例示する。図７ｂでは、第１レベルないし第４レベルそれぞれに対して互いに異なるリズムが割り当てられたことを例示する。第１レベル（１）に対しては、長−長−長−短−短のリズム、第２レベル（２）に対しては長−短−長−短−長のリズム、第３レベル（３）に対しては短−長−短−長−短のリズム、そして第４レベル（４）に対しては短−短−短−長−長のリズムを有する声がフィードバックとして出力されてもよい。ここで、「長」は「短」に対して相対的に長い時間の声の出力時間を表してもよい。本願明細書において、このような声のリズムは、メロディー（ｍｅｌｏｄｙ）に含まれる概念であってもよい。
【０１３６】
また、複数のタッチレベルそれぞれに対するフィードバックが相関関係を有するように行われる場合として、第１レベルに対しては猫の声、第２レベルに対してはヤギの声、第３レベルに対しては子犬の声、そして第４レベルに対しては小牛の声などに区分して出力されてもよい。これ以外にも、複数のタッチレベルそれぞれに対するフィードバックが非相関関係を有するように多様に設定されてもよく、このようなタッチレベルに伴うフィードバック方法がフィードバックテーブルに格納されてもよい。
【０１３７】
図８では、タッチ領域４００を指５００でタッチする際に、タッチレベルが振動素子（図示せず）を通じて振動７１０として出力されてもよい。フィードバックテーブルは、フィードバック手段として振動素子（図示せず）を通じた出力がすでに設定されていてもよく、また、フィードバック方法としてタッチレベルにより区分されて出力される振動７１０の方法が格納されていてもよい。
【０１３８】
この時、制御器１１０の制御信号生成部１１２から出力される制御信号は、振動素子駆動部（図示せず）に伝達され、振動素子（図示せず）が該当フィードバック方法により駆動され得るようにする信号であってもよい。複数のタッチレベルをそれぞれ区分することができるように振動素子（図示せず）を通じて出力される振動７１０の周波数、強さ、長さ、メロディー及び回数のうち少なくとも何れか一つが変わり得る。
【０１３９】
この時、複数のタッチレベルそれぞれに対するフィードバックが相関関係を有するように行われてもよいが、本発明による場合、複数のタッチレベルそれぞれに対するフィードバックは、非相関関係を有するように行われてもよい。
【０１４０】
例えば、複数のタッチレベルそれぞれに対するフィードバックが相関関係を有する場合として、第１レベルに対しては１回の振動、第２レベルに対しては２回の振動、第３レベルに対しては３回の振動、又は、第４レベルに対しては４回の振動などに区分して出力されてもよい。また、複数のタッチレベルそれぞれに対するフィードバックが非相関関係を有するように行われる場合として、例えば、図７ｂに示されたようなリズムによって振動が行われるようにフィードバックが設定されてもよい。
【０１４１】
このようなタッチレベルに伴うフィードバック方法が、フィードバックテーブルに格納されてもよい。ここで、振動７１０の強さとは、振動素子を駆動するパワー（ｐｏｗｅｒ）を表わすことができる。
【０１４２】
以下では、図９ａないし図９ｄを参照して、前述したタッチレベルに伴うフィードバック方法及び手段を用いてタッチ入力装置１００のセキュリティー性を高め、使用者のプライバシーを保護できるようにする暗号化技術及びロック解除技術について詳しく見てみる。
【０１４３】
制御器１１０は、プロセッサ１４０による処理結果に応じてメモリ１２０を参照し、タッチスクリーン１３０に対するタッチ圧力の大きさ、タッチ面積、タッチ回数、タッチリズム及び／又はタッチ位置がすでに設定された暗号と一致するか否かに対する第１制御信号を生成することができる。
【０１４４】
本発明の実施形態によるメモリ１２０は、例えば、すでに設定された暗号を格納していてもよい。すでに設定された暗号は、タッチ入力装置１００に対して使用者があらかじめ設定するか、又は、デフォルト（ｄｅｆａｕｌｔ）に設定された暗号であってもよい。本発明の実施形態によるタッチ入力装置１００を使用するため、又は、特定のアプリケーション（ａｐｐｌｉｃａｔｉｏｎ）又は機能を実行するために、ロックを解除する過程が要求されてもよい。この時、このようなロックを解除するためには、特定の暗号を入力する必要があり、このような暗号が、すでに設定された暗号としてメモリ１２０に格納されてもよい。
【０１４５】
本発明の実施形態による制御器１１０は、比較部（図示せず）をさらに含んでもよい。比較部は、タッチスクリーン１３０を通じて入力される暗号とメモリ１２０のすでに設定された暗号を比較して、同一であるか否かを判断することができる。制御器１１０は、これに従い第１制御信号を生成することができる。仮に、比較部が制御器１１０に含まれたものと説明されるが、これは単に一つの実施形態に過ぎず、比較部は任意の場所に位置してもよく、実施形態によりプロセッサ１４０に含まれて構成されてもよい。
【０１４６】
本発明の実施形態において、暗号入力ウィンドウ２００は、タッチ入力装置１００を使用するため、又は、特定のアプリケーション又は機能を実行するために、ロックされた画面を解除するための暗号を入力できる画面である。従来には、一般的に暗号入力ウィンドウ２００に所定の組み合わせの文字及び／又は数字からなる暗号を入力することによって、ロックを解除することができた。本願発明では、高いセキュリティー性を維持しながらも、操作が簡単な暗号設定及びロック解除技術を提供することができる。
【０１４７】
図９ａは、本発明の第１実施形態による暗号入力ウィンドウ２００に対するロック解除過程の例示である。図９ａでは、第１実施形態による暗号入力ウィンドウ２００がタッチ入力装置１００のタッチスクリーン１３０にディスプレイされている。図９ａに示されたように、第１実施形態による暗号入力ウィンドウ２００は、複数のコード入力領域４００を含んでもよい。使用者は、タッチ入力装置１００のロックを解除するため、暗号コード入力領域４０１、４０２、４０３、４０４それぞれに対して、すでに設定された暗号として格納されたタッチ圧力の大きさ及び／又はタッチ面積と同一のタッチ圧力の大きさ及び／又はタッチ面積を有するタッチを行うことができる。
【０１４８】
制御器１１０に含まれた比較部は、暗号コード入力領域４０１、４０２、４０３、４０４それぞれに対するタッチレベルが、すでに設定された暗号として格納された該当領域のタッチレベルと全て一致するかを判断することができる。比較部が全て一致すると判断する場合、制御器１１０は、ロックが解除されるようにする第１制御信号を生成することができる。もし、暗号コード入力領域４０１、４０２、４０３、４０４の何れか一つでも、すでに設定された暗号として格納された該当領域のタッチレベルと違って入力された場合には、入力された暗号が間違ったことを知らせるか、再度暗号を入力する機会を与えるか、及び／又はロックが解除されないようにする第１制御信号を生成することができる。
【０１４９】
例えば、すでに設定された暗号として、第１領域４０１には第３レベル、第２領域４０２には第４レベル、第３領域４０３には第１レベル、第４領域４０４には第２レベルが設定されていてもよい。すなわち、本発明によれば、暗号コード入力領域の位置とともにタッチレベルが暗号コードとして用いられてもよい。この時、タッチレベルは、タッチ圧力の大きさ、タッチ面積、及びタッチ時間のうち少なくとも一つに対するレベルであってもよい。
【０１５０】
タッチ入力装置１００のロックを解除するために、使用者は、定められた位置の第１領域４０１を第３レベルでタッチし、第２領域４０２を第４レベル、第３領域４０３には第１レベル、そして第４領域４０４には第２レベルでタッチすることができる。
【０１５１】
この時、実施形態により、タッチ順序は必ずしも第１領域４０１から第４領域４０４まで順次的である必要はない。この時、ロック解除のための暗号が位置とタッチレベルの組み合わせとして設定されていてもよい。このような場合、タッチ順序に関係なく、タッチ位置とタッチレベルの組み合わせが一致するならば、暗号が解除されてもよい。もし、ロック解除のための暗号がタッチ位置とタッチレベルだけでなく、タッチ順序を含む組み合わせからなる場合ならば、すでに設定された暗号として定められたタッチ順序に従い第１ないし第４領域４０１、４０２、４０３、４０４をタッチする場合に、ロックが解除されてもよい。
【０１５２】
タッチ入力装置１００のメモリ１２０は、暗号コード入力領域４００それぞれに対する位置を格納している。したがって、暗号コード入力領域４００のうち任意の領域４０１に対してタッチがなされた時、制御器１１０の比較器は、メモリ１２０に格納された位置情報とプロセッサ１４０の処理結果としてタッチ位置に対する情報を比較することによって、どの領域に対してタッチが成されたのか認識することができる。
【０１５３】
この時、使用者は、タッチ入力装置１００のタッチスクリーン１３０をタッチする時、自身がどのようなタッチレベルでタッチスクリーン１３０をタッチするのかに対して、自ら自覚するのに困難さがある。したがって、ロック解除のための暗号入力時にエラー発生が避けられない。したがって、本発明の実施形態による装置１００は、使用者がタッチスクリーン１３０をタッチする際にタッチレベルによりフィードバック（ｆｅｅｄ−ｂａｃｋ）を提供することができ、図６ａないし図８を参照して詳しくみたフィードバック方法及び手段が用いられてもよい。例えば、使用者は、暗号コード入力領域４０１、４０２、４０３、４０４それぞれに対してタッチを行う時、タッチレベルを確認して最終的に所望するタッチレベルを選択することによって、各領域４０１、４０２、４０３、４０４に対するタッチを完了することができる。
【０１５４】
また、本発明の実施形態により、暗号入力ウィンドウ２００は、テキスト入力ウィンドウ（図示せず）を含んでもよい。例えば、テキスト入力ウィンドウは、第１ないし第４領域４０１、４０２、４０３、４０４の間、又は、任意の位置に配置されてもよい。また、テキスト入力ウィンドウの形態は、第１ないし第４領域４０１、４０２、４０３、４０４と同一に、又は、異なるように位置することができる。また、テキスト入力ウィンドウには一つ以上の文字、数字、符号などを含むテキストが入力され得る空間が含まれてもよい。テキスト入力ウィンドウにテキストを入力するため、使用者は、タッチスクリーン上に表示され得るキーパッド（ｋｅｙ ｐａｄ：図示せず）を用いることができる。
【０１５５】
このような場合、制御器１１０は、複数のコード入力領域４０１、４０２、４０３、４０４それぞれに対するタッチレベルが、すでに設定された暗号として格納された該当領域のタッチレベルと全て一致し、そして前記テキスト入力ウィンドウに入力されたテキストが、前記すでに設定された暗号として格納されたテキストと一致する時、第１制御信号を生成してロックが解除されるようにすることができる。
【０１５６】
また、本発明の実施形態により、暗号入力ウィンドウ２００は、一つの暗号コード入力領域４０１を含んでもよい。このような暗号コード入力領域４０１は、必ずしも明示的に表示される必要はなく、暗号入力ウィンドウ２００自体が暗号コード入力領域として認識されてもよい。
【０１５７】
使用者は、装置１００のロックを解除するため、暗号コード入力領域４０１に対してすでに設定された暗号として格納されたタッチの回数、タッチのリズム及び／又はタッチ レベルでタッチを行うことができる。
【０１５８】
実施形態により、すでに設定された暗号として暗号コード入力領域４０１に対するタッチの回数及びタッチのリズムが設定されていてもよい。例えば、暗号コード入力領域４０１に対して所定の時間の間に５回の区分されるタッチが成されるが、５回のタッチは「長−短−長−長−短」のリズムで成されてもよい。この時、それぞれのタッチの間には、客体がタッチスクリーン１３０から分離される時間区間が要求されてもよい。例えば、「長」は２秒間のタッチ、そして「短」は１秒間のタッチなどで、実際のタッチ時間がすでに設定された暗号として共に格納されてもよいが、使用者がこのようなタッチ時間を明確に区分するためには、追加の確認手続きが要求されてもよい。したがって、実施形態により、連続したタッチの相対的な時間を比較することによって、「長」及び「短」を区分するように具現されてもよい。例えば、５回の連続的なタッチのうち、一番目のタッチのタッチ持続時間を基準として一番目のタッチのタッチ持続時間に対する所定誤差の範囲内にタッチと残りのタッチのタッチ持続時間を区分した後、残りのタッチが一番目のタッチより長いのか短いのかを決定することができる。これにより、残りのタッチが一番目のタッチより長い場合には、残りのタッチが「長」、そして一番目のタッチと誤差範囲内のタッチが「短」と認識されてもよい。同様に、残りのタッチが一番目のタッチより短い場合には、残りのタッチが「短」、そして一番目のタッチと誤差範囲内のタッチが「長」と認識されてもよい。このような「長」及び「短」の区分は、単に例示に過ぎず、多様な方法で相対的な時間の長さを比較することができる。
【０１５９】
また、「長−短−長−長−短」のリズムは、タッチとタッチの間のタッチが成されない時間区間同士の相対的な長さであってもよい。例えば、６回の実質的なタッチが成されて、６回のタッチの間に指がタッチスクリーンをタッチしない５回の時間区間の相対的な長さが「長−短−長−長−短」のようなリズムを有するように設定されてもよい。また、タッチスクリーンに対するタッチ時間区間とタッチとタッチの間の時間区間との間の相対的な長さに対するリズムが暗号として設定されてもよい。
【０１６０】
制御器１１０に含まれた比較部は、暗号コード入力領域４０１に対するタッチ回数とタッチリズムとが、すでに設定された暗号として格納されたタッチ回数とタッチリズムと一致するかを判断することができる。比較部が全て一致すると判断する場合、制御器１１０は、ロックが解除されるようにする第１制御信号を生成することができる。このようなタッチリズムは、図９ａに示されたような複数の暗号コード入力領域４０１、４０２、４０３、４０４に対しても順次適用されてもよい。
【０１６１】
また、実施形態により、すでに設定された暗号として暗号コード入力領域４０１に対するタッチの回数及びタッチレベルが設定されていてもよい。例えば、暗号コード入力領域４０１に対して所定の時間の間に５回の区分されるタッチが成されるが、５回のタッチの際に「大−小−大−大−小」のリズムで成されてもよい。ここで、「大」は「小」に比べて相対的に大きいレベルでタッチが行われることを表わしてもよい。「大」は第２レベル、そして「小」は第１レベルなどで実際のタッチレベルがすでに設定された暗号として共に格納され得るが、使用者がこのようなタッチレベルを明確に区分するためには、追加の確認手続きが要求されてもよい。したがって、実施形態により、連続したタッチの相対的なレベルを比較することによって、「大」及び「小」を区分するように具現されてもよい。例えば、５回の連続したタッチのうち、一番目のタッチレベルを基準として一番目のタッチレベルに対する所定の誤差範囲内にタッチと残りのタッチとを区分した後、残りのタッチのレベルが一番目のタッチレベルより大きいのか小さいのかを決定することができる。これにより、残りのタッチレベルが一番目のタッチレベルより大きい場合には、残りのタッチが「大」、そして一番目のタッチと誤差範囲内のタッチが「小」と認識されてもよい。同様に、残りのタッチレベルが一番目のタッチレベルより小さい場合には、残りのタッチが「小」、そして一番目のタッチと誤差範囲内のタッチが「大」と認識されてもよい。このような「大」及び「小」の区分は、単に例示に過ぎず、多様な方法で相対的なタッチレベルを比較することができる。
【０１６２】
もちろん、以上で説明したタッチ時間に伴うリズム及び／又はタッチレベルに伴うリズムの組み合わせが、ロック解除のために用いられてもよい。
【０１６３】
制御器１１０に含まれた比較部は、暗号コード入力領域４０１に対するタッチ回数とタッチレベルが、すでに設定された暗号として格納されたタッチ回数とタッチレベルと一致するかを判断することができる。比較部が、全て一致すると判断する場合、制御器１１０はロックが解除されるようにする第１制御信号を生成することができる。
【０１６４】
以上で説明したタッチ回数、タッチレベル、及びタッチリズムの組み合わせが、装置１００のロック解除のために用いられてもよく、また、以下の実施形態にも適用されてもよい。
【０１６５】
図９ｃは、本発明の第２実施形態による暗号入力ウィンドウ２００に対するロック解除過程の例示である。図９ｃでは、第２実施形態による暗号入力ウィンドウ２００が、タッチ入力装置１００のタッチスクリーン１３０にディスプレイされている。図９ｃに示されたように、第２実施形態による暗号入力ウィンドウ２００には、同時に多数のタッチが入力されてもよい。
【０１６６】
第２実施形態において、制御器１１０に含まれた比較部は、暗号入力ウィンドウ２００に同時にタッチされるタッチの個数とタッチレベルの組み合わせとが、すでに設定された暗号として格納されたタッチの個数とタッチレベルの組み合わせとが全て一致するかを判断することができる。比較部が、すでに設定された暗号として格納されたタッチの個数とタッチレベルの組み合わせとが全て一致すると判断する場合、制御器１１０はロックが解除されるようにする第１制御信号を生成することができる。もし、暗号入力ウィンドウ２００に同時にタッチされるタッチの個数とタッチレベルの組み合わせのうち何れか一つでもすでに設定された暗号として格納されたタッチの個数とタッチレベルの組み合わせと異なるように入力された場合には、入力された暗号が間違ったことを知らせるか、再度暗号を入力する機会を与えるか、及び／又はロックが解除されないようにする第１制御信号を生成することができる。
【０１６７】
第２実施形態では、同時に多数のタッチが暗号入力ウィンドウ２００に対して行われるため、タッチレベルをフィードバックに従って確認することに困難さが伴うことがある。したがって、第２実施形態では、例えば、単純にタッチスクリーン１３０に対する直接タッチとホバーリングのみを区分することができる。このような場合、第１レベルと第２レベルのみが区分されてもよい。または、相対的に「大」のタッチレベルと「小」のタッチレベルのみが区分されてもよい。
【０１６８】
例えば、すでに設定された暗号として、暗号入力ウィンドウ２００に対して同時に４個のタッチが成されなければならず、前記４個のタッチのうち２個は直接タッチであり、残りの２個はホバーリングでなければならないことが設定されていてもよい。または、４個のタッチのうち２個は相対的に「大」のタッチレベルであり、残りの２個は「小」のタッチレベルであってもよい。すなわち、第２実施形態では、同時にタッチされるタッチの個数とタッチレベルが暗号コードとして用いられてもよい。
【０１６９】
タッチ入力装置１００のロックを解除するため、使用者は第１の指５１０ないし第４の指５４０で暗号入力ウィンドウ２００を同時にタッチするが、第１の指５１０と第２の指５２０では直接タッチ（例えば、第２レベル）を行い、第３の指５３０と第４の指５４０ではホバーリング（例えば、第１レベル）を行うことができる。この時、第５の指５５０は、暗号入力ウィンドウ２００に対してタッチを行わない。
【０１７０】
図９ｃに示されたように、実施形態により、暗号入力ウィンドウ２００は、複数個の区分された領域を含んでもよい。例えば、各区分領域は、Ｎ個の列及びＭ個の行からなるグリッドセル（ｇｒｉｄ ｃｅｌｌ：１×１ないしＮ×Ｍで表示）で表示されている。この時、暗号コードとしては、同時にタッチされるタッチの個数とタッチレベルが用いられてもよい。
【０１７１】
実施形態により、以上で説明された同時にタッチされるタッチ個数とタッチレベルだけでなく、タッチ位置を含む組み合わせですでに設定された暗号が設定されていてもよい。例えば、２個の第２レベルは、３×１及び４×１グリッドセル位置でタッチされなければならず、２個の第１レベルは、２×２及び２×３グリッドセル位置でタッチされなければならないという条件が、すでに設定された暗号としてさらに格納されていてもよい。このような場合、使用者は、暗号を解除するために同時にタッチされる個数及びタッチレベルだけでなくタッチ位置まで、すでに設定された暗号と同一に暗号入力ウィンドウ２００に対してタッチを行うことができる。
【０１７２】
図９ｃは、本発明の第３実施形態による暗号入力ウィンドウ２００に対するロック解除過程の例示である。図９ｃでは、第３実施形態による暗号入力ウィンドウ２００が、装置１００のタッチスクリーン１３０にディスプレイされている。図９ｃに示されたように、第３実施形態による暗号入力ウィンドウ２００は、複数個のノード４０１〜４１５を含んでもよい。
【０１７３】
第３実施形態において、制御器１１０に含まれた比較部は、暗号入力ウィンドウ２００に表示された複数個のノードのうちタッチされるノード及びタッチレベルの組み合わせが、すでに設定された暗号として格納されたタッチされるノード及びタッチレベルの組み合わせと全て一致するかを判断することができる。比較部が全て一致すると判断する場合、ロックが解除されるようにする第１制御信号を生成することができる。
【０１７４】
例えば、すでに設定された暗号として、ノード４０１、４０４、４０５、４０６、４０８、４１１、４１５に対してタッチが成されなければならず、ノード４０５及び４１１に対しては第１レベル、ノード４０６及び４１５に対しては第２レベル、ノード４０４に対しては第３レベル、そしてノード４０１及び４０８に対しては第４レベルでタッチが成されなければならないことが設定されていてもよい。すなわち、第３実施形態では、タッチされるノードとタッチレベルが暗号コードとして用いられてもよい。
【０１７５】
この時、実施形態により、ノード４０１〜４１５に対するタッチ順序は、ノード番号に従い順次である必要はない。この時、ロック解除のための暗号は、タッチされるノードとタッチレベルの組み合わせで設定されていてもよい。このような場合、タッチ順序に関係なく、タッチされるノードとタッチレベルの組み合わせが一致するならば、暗号が解除されてもよい。
【０１７６】
もし、ロック解除のための暗号が、タッチされるノードとタッチレベルだけでなく、タッチ順序を含む組み合わせからなる場合であれば、すでに設定された暗号として定められたタッチ順序により、ノード４０１、４０４、４０５、４０６、４０８、４１１、４１５をタッチする場合に、ロックが解除されてもよい。例えば、図９ｃでは、ノードに対するタッチ順序は、ノード４０１、ノード４０８、ノード４０６、ノード４０５、ノード４０４、ノード４１１、及びノード４１５であることが例示される。しかし、これは単に例示に過ぎず、タッチノードの順序は任意に定められてもよい。
【０１７７】
また、実施形態により、タッチされるノードの間を結ぶ線は、指などを通じてタッチされたりタッチされなくてもよい。例えば、図９ｃでは、指がノード４０１を所定の面積でタッチした後、ノード４０８に移動時、線１で表示されたように暗号入力ウィンドウ２００をタッチしながら移動したり、タッチせずに移動するように設定されてもよい。ノードの間をタッチしながら指が移動する場合には、タッチ面積は区別されず、単に直接タッチだけを認識することもできる。実施形態により、直接タッチとホバーリングだけを区別することもできる。
【０１７８】
図９ｄは、本発明の第４実施形態による暗号入力ウィンドウに対するロック解除過程の例示である。図９ｄでは、第４実施形態による暗号入力ウィンドウ２００が、装置１００のタッチスクリーン１３０にディスプレイされている。図９ｄに示された第４実施形態は、図９ｃに示された第３実施形態と類似するように、暗号入力ウィンドウ２００には複数個のノード４０１〜４０５を含んでもよい。第４実施形態は、前述した第３実施形態と類似するが、第４実施形態の場合には第３実施形態とは異なり、ノード４０１〜４０５が明白に、その位置及び形状が暗号入力ウィンドウ２００に示されない。第４実施形態では、複数のノード４０１〜４０５が暗号入力ウィンドウ２００から隠蔽されている。例えば、図９ｄに示されたように、複数のノード４０１〜４０５が特定の図形（ウサギの絵）に隠されており、それぞれのノードが目につかないように具現されされてもよい。
【０１７９】
実施形態により、使用者が複数のノード４０１〜４０５を暗号入力ウィンドウ２００に示された図形などにあらかじめ設定することができる。または、実施形態により、複数のノード４０１〜４０５が、あらかじめ指定された図形が暗号入力ウィンドウ２００に示されてもよい。この時、ロック解除方法は、第３実施形態と関連して説明されたことと同一である。すなわち、複数のノード４０１〜４０５のうち、タッチされるノード、タッチレベル及び／又はタッチ順序の組み合わせが暗号として用いられてもよい。この時、第３及び第４実施形態の場合にも、それぞれのノード４０１に対してタッチの回数、タッチのリズム及び／又はタッチレベルの組み合わせもまた暗号として設定されてもよい。また、複数のノードそれぞれに対するタッチの間にも、タッチのリズムが暗号として設定されてもよい。
【０１８０】
本発明の第５実施形態による暗号入力ウィンドウに対するロック解除過程は、タッチ スクリーン１３０にディスプレイされた暗号入力ウィンドウ２００に特定のパターンに従いタッチを行うことで成されてもよい（図示せず）。実施形態により、使用者が暗号として用いられるパターンを、タッチスクリーン１３０に描いて暗号としてあらかじめ設定することができる。例えば、暗号としてハート形態のパターンが設定されていてもよく、使用者はロックを解除するために、すでに設定されたハート形態のパターンによりタッチスクリーン１３０をタッチすることができる。この時、暗号パターンを描く開始点及び／又は描く順序もまた暗号として設定されてもよい。
【０１８１】
この時、暗号として格納される特定パターンは、任意の図形又は絵であってもよい。また、暗号として格納される特定のパターンは、文字、数字、そして任意のシンボルを含むテキスト（ｔｅｘｔ）であってもよい。この時、テキストは、テキストとして認識されたり図形として認識されてもよい。
【０１８２】
比較部は、入力されるパターンとすでに設定された暗号として格納された特定のパターンとの比較により、類似度が所定値以上である場合、ロックが解除されるように設定されてもよい。この時、特定のパターンが描かれる位置が暗号として設定されてもよく、実施形態により、暗号入力ウィンドウ２００の任意の位置に該当パターンに伴うタッチが行われる場合にも、同一のパターンとして認識されてもよい。実施形態により、暗号入力ウィンドウ２００に対するタッチにより入力される暗号パターンが、タッチスクリーン１３０に示されたり示されないこともある。
【０１８３】
また、実施形態により、タッチスクリーン１３０に特定パターンを描くためのタッチは、直接タッチだけでなく、ホバーリングを通じて成されてもよい。また、特定のパターンを描くためのタッチは、直接タッチとホバーリングの組み合わせにより成されてもよい。例えば、特定のパターンの所定区間は、直接タッチにより行われるが、残りの区間は、ホバーリングを通じて行われるように設定されてもよい。この時、タッチレベルもまた暗号として組み合わせてもよい。
【０１８４】
以上において、実施形態を中心に説明したが、これは単に例示に過ぎず、本発明を限定する訳ではなく、本発明が属する分野における通常の知識を有する者であれば、本実施形態の本質的な特徴を外れない範囲で、以上に例示されない様々な変形と応用が可能であることが分かるはずである。例えば、実施形態に具体的に示された各構成要素は、変形して実施することができるものである。そして、このような変形と応用に係る相違点は、添付の特許請求の範囲において規定する本発明の範囲に含まれるものと解釈されるべきである。
【符号の説明】
【０１８５】
１００      タッチ入力装置
１１０      制御器
１２０      メモリ
１３０      タッチスクリーン
１４０      プロセッサ
【図１】
2015106417.tif 000003
【図２ａ】
2015106417.tif 000004
【図２ｂ】
2015106417.tif 000005
【図３ａ】
2015106417.tif 000006
【図３ｂ】
2015106417.tif 000007
【図４ａ】
2015106417.tif 000008
【図４ｂ】
2015106417.tif 000009
【図５】
2015106417.tif 000010
【図６ａ】
2015106417.tif 000011
【図６ｂ】
2015106417.tif 000012
【図６ｃ】
2015106417.tif 000013
【図６ｄ】
2015106417.tif 000014
【図６ｅ】
2015106417.tif 000015
【図７ａ】
2015106417.tif 000016
【図７ｂ】
2015106417.tif 000017
【図８】
2015106417.tif 000018
【図９ａ】
2015106417.tif 000019
【図９ｂ】
2015106417.tif 000020
【図９ｃ】
2015106417.tif 000021
【図９ｄ】
2015106417.tif 000022
【図１０】
2015106417.tif 000023
【図１１ａ】
2015106417.tif 000024
【図１１ｂ】
2015106417.tif 000025
【図１１ｃ】
2015106417.tif 000026
【図１１ｄ】
2015106417.tif 000027
【図１２ａ】
2015106417.tif 000028
【図１２ｂ】
2015106417.tif 000029
【図１２ｃ】
2015106417.tif 000030
【図１２ｄ】
2015106417.tif 000031
【図１２ｅ】
2015106417.tif 000032
【図１２ｆ】
2015106417.tif 000033
【図１３】
2015106417.tif 000034
【図１４ａ】
2015106417.tif 000035
【図１４ｂ】
2015106417.tif 000036
【図１４ｃ】
2015106417.tif 000037
【図１４ｄ】
2015106417.tif 000038
【図１４ｅ】
2015106417.tif 000039
【図１４ｆ】
2015106417.tif 000040
【図１４ｇ】
2015106417.tif 000041
【図１４ｈ】
2015106417.tif 000042
【図１４ｉ】
2015106417.tif 000043
【図１４ｊ】
2015106417.tif 000044
【図１４ｋ】
2015106417.tif 000045
【図１５】
2015106417.tif 000046
【図１６ａ】
2015106417.tif 000047
【図１６ｂ】
2015106417.tif 000048
【図１７ａ】
2015106417.tif 000049
【図１７ｂ】
2015106417.tif 000050
【図１７ｃ】
2015106417.tif 000051
【図１８ａ】
2015106417.tif 000052
【図１８ｂ】
2015106417.tif 000053
【図１８ｃ】
2015106417.tif 000054
【図１８ｄ】
2015106417.tif 000055